(57)【特許請求の範囲】
【請求項１】
ワイヤレス通信に対するアカウンティングの方法において、
ユーザ端末（ＵＴ）により提出された、報告されたリソース使用を受信することと、
前記報告されたリソース使用を有効性確認することとを含み、
前記報告されたリソース使用は、前記ＵＴにより使用されたアドホックワイヤレスリソースと、直接的なワイヤレスリンクを通して前記ＵＴとアドホックモードで通信する他のＵＴにより使用されたリソースとを含み、端末特有のデジタル署名により証明されている方法。
【請求項２】
前記報告されたリソース使用を有効性確認することが、
デジタル証明書の証明機関（ＣＡ）署名を有効性確認することにより、前記端末特有のデジタル署名に関係付けられているデジタル証明書の有効性を検証すること、
前記デジタル証明書から取得した公開鍵により、前記端末特有のデジタル署名を検証すること、または、
前記ＵＴと認可されているネットワークエンティティとに利用可能な共有秘密鍵により、前記報告されたリソース使用をデジタル的に認証することをさらに含む請求項１記載の方法。
【請求項３】
送ったまたは受信したパケットの数や、
送ったまたは受信したバイトの数や、
前記ＵＴにより送られたまたは受信されたデータの受信者あるいは発信者や、
ワイヤレス通信の時間や、
ワイヤレス通信の持続時間や、または、
高められたサービス品質（ＱｏＳ）メカニズムの起動もしくは持続時間や、あるいは、それらの組み合わせ、
のうちの少なくとも１つを、前記報告されたリソース使用から識別することをさらに含む請求項１記載の方法。
【請求項４】
前記報告されたリソース使用により、前記ＵＴの識別子を取得することと、
前記識別子が、端末特有のデジタル証明書に関係付けられていることを検証することと、
報告されたリソース使用データと公開鍵とを用いて、前記端末特有のデジタル署名の正確さを検証することとをさらに含む請求項１記載の方法。
【請求項５】
前記報告されたリソース使用について前記ＵＴをポーリングすること、または、
前記ＵＴから、前記報告されたリソース使用を周期的に受信することのうちの少なくとも１つをさらに含む請求項１記載の方法。
【請求項６】
ピアノードに関係する前記報告されたリソース使用のサブセットを識別することをさらに含む請求項１記載の方法。
【請求項７】
前記ピアノードの端末特有のデジタル署名により、前記報告されたリソース使用が証明される請求項６記載の方法。
【請求項８】
前記ＵＴとピアノードとの間のデータ交換を示す付加的なリソース使用報告を取得することと、
前記付加的なリソース使用報告に基づいて、前記データ交換を定量化することと、
前記定量化したデータ交換と、前記報告されたリソース使用から取得した関連する分量とを比較することとをさらに含む請求項１記載の方法。
【請求項９】
前記報告されたリソース使用を有効性確認することが、前記比較の結果を解析することをさらに含む請求項８記載の方法。
【請求項１０】
前記ＵＴにより用いられた高められたＱｏＳや、
リソースの使用不足や、または、
前記ＵＴに対する標準以下のＱｏＳ、
のうちの少なくとも１つを、前記報告されたリソース使用から識別することをさらに含む請求項１記載の方法。
【請求項１１】
前記報告されたリソース使用に対するアカウント請求を調整するために、前記高められたＱｏＳ、前記リソースの使用不足、または、前記標準以下のＱｏＳを報告することをさらに含む請求項１０記載の方法。
【請求項１２】
ワイヤレス通信に対するアカウンティングを提供する装置において、
ユーザ端末（ＵＴ）により提出された、報告されたリソース使用を取得する通信インターフェースと、
前記報告されたリソース使用を有効性確認する処理回路とを具備し、
前記報告されたリソース使用は、前記ＵＴにより使用されたアドホックワイヤレスリソースと、直接的なワイヤレスリンクを通して前記ＵＴとアドホックモードで通信する他のＵＴにより使用されたリソースとを含み、端末特有のデジタル署名により証明されている装置。
【請求項１３】
前記処理回路が、
デジタル証明書上の証明機関（ＣＡ）署名を有効性確認することにより、前記端末特有のデジタル署名に関係付けられているデジタル証明書の有効性を検証すること、
前記デジタル証明書から取得した公開鍵により、前記端末特有のデジタル署名を検証すること、または、
前記ＵＴと認可されているネットワークエンティティとにおいて記憶されている共有秘密鍵により、前記端末特有のデジタル署名を認証することにより、
前記証明されている報告されたリソース使用の真正性を検証する請求項１２記載の装置。
【請求項１４】
送ったまたは受信したパケットの数や、
送ったまたは受信したバイトの数や、
前記ＵＴにより送られたまたは受信されたデータの受信者あるいは発信者や、
ワイヤレス通信の時間や、
ワイヤレス通信の持続時間や、または、
高められたサービス品質（ＱｏＳ）メカニズムの起動もしくは持続時間や、あるいは、それらの組み合わせ、
のうちの少なくとも１つを、前記報告されたリソース使用から抽出するデータパーサをさらに具備する請求項１２記載の装置。
【請求項１５】
前記データパーサにより抽出した情報に基づいて、前記ＵＴに対する使用報告を提出する報告モジュールをさらに具備する請求項１４記載の装置。
【請求項１６】
前記データパーサがさらに、前記報告されたリソース使用から、標準以下のＱｏＳまたはリソース使用不足を抽出し、標準以下のＱｏＳまたはリソース使用不足は、前記報告モジュールにより、前記使用報告とともに提出される請求項１５記載の装置。
【請求項１７】
認可されているＵＴのリストと、関係付けられている識別子と、関係付けられている公開鍵とを記憶するメモリをさらに具備し、前記処理回路が、
前記報告されたリソース使用から、前記ＵＴの識別子を取得し、
前記識別子を用いて、前記メモリ中に記憶されている、前記ＵＴに関係付けられている公開鍵を取得し、
前記公開鍵と前記報告されたリソース使用中に含まれている前記使用データとを用いて、前記端末特有のデジタル署名の正確さを検証する請求項１２記載の装置。
【請求項１８】
前記報告されたリソース使用について前記ＵＴをポーリングする捕捉モジュール、または、
前記報告されたリソース使用に対して、受信した通信を周期的にスキャンするタイミングモジュールのうちの少なくとも１つをさらに具備する請求項１２記載の装置。
【請求項１９】
前記処理回路が、前記報告されたリソース使用のサブセットから、前記ＵＴのピアノードに関係するリソース使用を取得する請求項１２記載の装置。
【請求項２０】
前記ピアノードの端末特有のデジタル署名により、前記報告されたリソース使用が証明される請求項１９記載の装置。
【請求項２１】
前記通信インターフェースが、前記ＵＴとピアノードとの間のデータ交換を示す付加的なリソース使用報告を取得し、
データパーサが、前記付加的なリソース使用報告に基づいて、前記データ交換を定量化し、
前記処理回路が、前記定量化したデータ交換と、前記報告されたリソース使用から取得した関連する分量とを比較する請求項１２記載の装置。
【請求項２２】
前記処理回路が、前記比較の結果に少なくとも部分的に基づいて、前記報告されたリソース使用を有効性確認する請求項２１記載の装置。
【請求項２３】
ワイヤレス通信に対してアカウントする装置において、
ユーザ端末（ＵＴ）により提出された、報告されたリソース使用を取得する手段と、
前記報告されたリソース使用を有効性確認する手段とを具備し、
前記報告されたリソース使用は、前記ＵＴにより使用されたアドホックワイヤレスリソースと、直接的なワイヤレスリンクを通して前記ＵＴとアドホックモードで通信する他のＵＴにより使用されたリソースとを含み、端末特有のデジタル署名により証明されている装置。
【請求項２４】
ワイヤレス通信に対してアカウントするように構成されているプロセッサにおいて、
ユーザ端末（ＵＴ）により提出された、報告されたリソース使用を取得する第１のモジュールと、
前記報告されたリソース使用を有効性確認する第２のモジュールとを具備し、
前記報告されたリソース使用は、前記ＵＴにより使用されたアドホックワイヤレスリソースと、直接的なワイヤレスリンクを通して前記ＵＴとアドホックモードで通信する他のＵＴにより使用されたリソースとを含み、端末特有のデジタル署名により証明されているプロセッサ。
【請求項２５】
コンピュータプログラムにおいて、
コンピュータに、ユーザ端末（ＵＴ）により提出された、報告されたリソース使用を取得させるための第１の組のコードと、
前記コンピュータに、前記報告されたリソース使用を有効性確認させるための第２の組のコードとを含み、
前記報告されたリソース使用は、前記ＵＴにより使用されたアドホックワイヤレスリソースと、直接的なワイヤレスリンクを通して前記ＵＴとアドホックモードで通信する他のＵＴにより使用されたリソースとを含み、端末特有のデジタル署名により証明されているコンピュータプログラム。
【請求項２６】
遠隔通信に対するアカウンティングの方法において、
ユーザ端末（ＵＴ）中のワイヤレスデータ交換に関連して、１組のリソースを利用することと、
リソース使用の報告を送信することとを含み、
前記報告は、前記ＵＴにより使用されたアドホックワイヤレスリソースと、直接的なワイヤレスリンクを通して前記ＵＴとアドホックモードで通信する他のＵＴにより使用されたリソースとを含み、ユーザ端末特有のデジタル署名により証明されている方法。
【請求項２７】
前記１組のリソースの使用をログ記録することと、前記使用ログのサブセットを前記報告中に含めることとをさらに含む請求項２６記載の方法。
【請求項２８】
前記１組のリソースに関係するデータを、送ること、受信すること、または、消費することと、前記データの量を前記報告中に含めることとをさらに含む請求項２６記載の方法。
【請求項２９】
前記１組のうちのリソースに対して、送った、受信した、または、消費したパケットの数や、
前記リソースに対して、送った、受信した、または、消費したバイトの数や、
前記リソースにより提供されたデータを消費するＵＴのＩＤや、
前記リソースの利用を促進するピアノードのＩＤや、
前記リソースを開始するまたは終了する時間や、
前記リソースの利用の持続時間や、
前記ＵＴ特有のデジタル証明書に関係付けられている公開鍵や、あるいは、
前記リソースに関係付けられているサービス品質（ＱｏＳ）レベル、
のうちの少なくとも１つを、前記報告中で特定することをさらに含む請求項２６記載の方法。
【請求項３０】
安全なインターフェース、安全な処理モジュール、または、安全なメモリを用いて、前記報告を追跡し、コンパイルし、または、デジタル的に署名することをさらに含む請求項２６記載の方法。
【請求項３１】
前記安全な処理モジュールまたは前記安全なメモリに対するアクセスを防ぐこと、あるいは、
前記報告が、前記デジタル署名により証明されていなかった場合に、前記安全なインターフェースまたは前記安全なメモリからの前記報告の出力を防ぐことのうちの少なくとも１つをさらに含む請求項３０記載の方法。
【請求項３２】
前記１組のうちのリソースを利用することに関連して、ピアノードと結合することと、前記報告中で前記ピアノードを識別することとをさらに含む請求項２６記載の方法。
【請求項３３】
前記ピアノードのデジタル署名により証明されている、前記リソースの使用サマリーを取得すること、または、
前記ＵＴ特有のデジタル署名により、リソース利用サマリーを証明し、前記証明したサマリーを前記ピアノードに提出することのうちの少なくとも１つをさらに含む請求項３２記載の方法。
【請求項３４】
前記報告がさらに、前記１組のうちのリソースの利用に関係するピアノードのデジタル署名により、少なくとも部分的に証明されている請求項２６記載の方法。
【請求項３５】
前記ＵＴのユーザのバイオメトリック識別子を取得することと、
前記バイオメトリック識別子に基づいて、前記１組のうちのリソースに対するアクセスを許可するまたは拒否することとをさらに含む請求項２６記載の方法。
【請求項３６】
前記リソースに対するアクセスを許可することに関連して、前記報告とともに前記バイオメトリック識別子を提出することをさらに含む請求項３５記載の方法。
【請求項３７】
遠隔通信に対してアカウントするように構成されているユーザ端末（ＵＴ）において、
ワイヤレスデータ交換に関連して、１組のリソースを利用する処理回路と、
リソース使用の報告をコンパイルして送信するアカウンティングモジュールと、
前記ユーザ端末特有のデジタル署名に関係付けられているデジタル証明書を記憶するメモリとを具備し、
前記報告は、前記ＵＴにより使用されたアドホックワイヤレスリソースと、直接的なワイヤレスリンクを通して前記ＵＴとアドホックモードで通信する他のＵＴにより使用されたリソースとを含み、前記ユーザ端末特有のデジタル署名により証明されているＵＴ。
【請求項３８】
前記１組のリソースの使用をログ記録し、前記使用ログのサブセットを前記報告中に含めることを行うデータ追跡モジュールをさらに具備する請求項３７記載のＵＴ。
【請求項３９】
前記処理回路が、前記１組のリソースに関係するデータを消費するか、または、第２のＵＴに対するこのようなデータの消費を促進し、
前記アカウンティングモジュールが、前記消費したデータの量を前記報告中に含める請求項３７記載のＵＴ。
【請求項４０】
送った、受信した、または、消費したパケットの数や、
送った、受信した、または、消費したバイトの数や、
前記ＵＴのＩＤや、
リソースの利用に参加しているピアノードのＩＤや、
前記リソースを開始するまたは終了する時間や、
前記リソースの利用の持続時間や、
前記ＵＴ特有のデジタル証明書に関係付けられている公開鍵や、あるいは、
前記リソースに関係付けられているサービス品質（ＱｏＳ）レベル、
のうちの少なくとも１つを、前記アカウンティングモジュールが、前記報告中で特定する請求項３７記載のＵＴ。
【請求項４１】
前記処理回路、前記メモリ、または、前記アカウンティングモジュールに対するアクセスを防ぐまたは軽減する安全なインターフェースをさらに具備する請求項３７記載のＵＴ。
【請求項４２】
前記安全なインターフェースが、前記デジタル署名により前記報告が証明されるまで、前記アカウンティングモジュールからの前記報告の送信を防ぐ請求項４１記載のＵＴ。
【請求項４３】
前記処理回路が、ワイヤレス通信インターフェースを用いて、リソースを利用することに関連して、ピアノードと通信可能に結合し、
前記アカウンティングモジュールが、前記報告中で、前記ピアノードを、ならびに、前記ＵＴと前記ピアノードとの間で交換されたデータパケットまたはバイトの数を識別する請求項３７記載のＵＴ。
【請求項４４】
前記処理回路が、前記ピアノードのデジタル署名により証明されている、前記リソースの使用サマリーを取得するか、または、
前記アカウンティングモジュールが、前記ＵＴ特有のデジタル署名により、リソース利用サマリーを証明し、前記証明したサマリーを前記ピアノードに提出するかのうちの少なくとも１つである請求項４３記載のＵＴ。
【請求項４５】
前記報告がさらに、リソースの利用に関係するピアノードのデジタル署名により、少なくとも部分的に証明されている請求項３７記載のＵＴ。
【請求項４６】
前記ＵＴのユーザのバイオメトリック識別子を取得するバイオメトリックスキャナーをさらに具備し、
前記処理回路が、前記バイオメトリック識別子に基づいて、リソースに対するアクセスを許可するまたは拒否する請求項３７記載のＵＴ。
【請求項４７】
前記リソースに対するアクセスを前記処理回路が許可する場合に、前記アカウンティングモジュールが、前記報告とともに前記バイオメトリック識別子を提出する請求項４６記載のＵＴ。
【請求項４８】
遠隔通信に対してアカウントするように構成されている装置において、
ユーザ端末（ＵＴ）中のワイヤレスデータ交換に関連して、１組のリソースを利用する手段と、
リソース使用の報告を送信する手段とを具備し、
前記報告は、前記ＵＴにより使用されたアドホックワイヤレスリソースと、直接的なワイヤレスリンクを通して前記ＵＴとアドホックモードで通信する他のＵＴにより使用されたリソースとを含み、ユーザ端末特有のデジタル署名により証明されている装置。
【請求項４９】
遠隔通信に対してアカウントするように構成されているプロセッサにおいて、
ユーザ端末（ＵＴ）中のワイヤレスデータ交換に関連して、１組のリソースを利用する第１のモジュールと、
リソース使用の報告を送信する第２のモジュールとを具備し、
前記報告は、前記ＵＴにより使用されたアドホックワイヤレスリソースと、直接的なワイヤレスリンクを通して前記ＵＴとアドホックモードで通信する他のＵＴにより使用されたリソースとを含み、ユーザ端末特有のデジタル署名により証明されているプロセッサ。
【請求項５０】
コンピュータプログラムにおいて、
コンピュータに、ユーザ端末（ＵＴ）中のワイヤレスデータ交換に関連して、１組のリソースを利用させるための第１の組のコードと、
前記コンピュータに、リソース使用の報告を送信させるための第２の組のコードとを含み、
前記報告は、前記ＵＴにより使用されたアドホックワイヤレスリソースと、直接的なワイヤレスリンクを通して前記ＵＴとアドホックモードで通信する他のＵＴにより使用されたリソースとを含み、ユーザ端末特有のデジタル署名により証明されているコンピュータプログラム。
【発明の詳細な説明】
【背景】
【０００１】
１．分野
以下のものは、一般的に、ワイヤレス通信に関し、さらに詳細には、ユーザ端末におけるリソース利用の安全な追跡および報告を提供することに関する。
【０００２】
２．背景
ワイヤレス通信システムは、例えば、音声コンテンツ、データコンテンツ等のような、さまざまなタイプの通信コンテンツを提供するように、幅広く展開されている。典型的なワイヤレス通信システムは、利用可能なシステムリソース（例えば、帯域幅、送信電力）を共有することにより、複数のユーザとの通信をサポートすることが可能である多元接続システムとすることができる。このような多元接続システムの例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および、これらに類するものを含むことができる。
【０００３】
一般的に、ワイヤレス多元接続通信システムは、複数のユーザ端末に対する通信を同時にサポートすることができる。移動体デバイスは、それぞれ、フォワードリンク上およびリバースリンク上での送信を通して、１つ以上の基地局と通信することができる。フォワードリンク（またはダウンリンク）は、基地局からユーザ端末への通信リンクのことを指し、リバースリンク（またはアップリンク）は、ユーザ端末から基地局への通信リンクのことを指す。さらに、ユーザ端末と基地局との間の通信は、単一入力単一出力（ＳＩＳＯ）システム、複数入力単一出力（ＭＩＳＯ）システム、複数入力複数出力（ＭＩＭＯ）システム等を通して、確立することができる。
【０００４】
先述のものに加えて、アドホックワイヤレス通信ネットワークにより、通信デバイスは、従来の基地局に対する必要性なしに、移動しながら、情報を送信または受信することが可能になる。これらの通信ネットワークは、ユーザ端末への、および、ユーザ端末からの、情報の転送を促進するために、例えば、ワイヤードまたはワイヤレスのアクセスポイントを通して、他のパブリックなまたはプライベートなネットワークに通信可能に結合することができる。このようなアドホック通信ネットワークは、典型的に、ピア・ツー・ピア方式で通信している複数のアクセス端末（例えば、移動体通信デバイス、移動体電話機、ワイヤレスユーザ端末）を含んでいる。通信ネットワークはまた、アクセス端末間のピア・ツー・ピア通信を促進するために、強い信号を発するビーコンポイントを含んでいてもよく、例えば、発せられたビーコンは、このような端末のタイミング同期化を支援するためのタイミング情報を含んでいることがある。それぞれのアクセス端末は、異なるカバレッジエリア内で、および、異なるカバレッジエリアにわたって、移動するので、これらのビーコンポイントは、広いエリアのカバレッジを提供するように配置されている。
【０００５】
ライセンスされているスペクトルを用いるワイヤレス通信は、基地局により直接促進されようと、または、ユーザ端末間のアドホック通信を利用しようと、スペクトルの所有者／ライセンシー／プロバイダにより提供される電子リソースを伴う。典型的に、これらのスペクトルを利用するコストは、帯域幅を利用する消費者間で共有され、時に、定額のまたは使用ごとの請求プラットフォームを用い、あるいは、他の請求モデルを用いる。請求は、スペクトルにおける初期投資とともに、アクセスポイントネットワークインフラストラクチャ（例えば、基地局、基地局制御装置、ビーコンポイント、加入者管理サーバ、アプリケーションサーバ等）における投資を埋め合わせることを助け、通信サーバ用の回線交換コアネットワークおよびパケット交換コアネットワークとインターフェースしている。したがって、請求は、サービスプロバイダのビジネスモデルの重要な側面である。
【概要】
【０００６】
このような側面の基本的な理解を提供するために、１つ以上の側面の簡略化した概要を以下に提示する。この概要は、すべての考えられる側面の広範囲にわたる全体像ではなく、すべての側面のキーまたは重要なエレメントを識別することも、いずれかのまたはすべての側面の範囲を示すことも意図していない。その目的は、後に提示するより詳細な説明に対する前置きとして、１つ以上の側面のいくつかの概念を簡略化した形態で提示することだけである。
【０００７】
主題的な開示は、ユーザ端末におけるリソース利用の使用を安全に決定し、ネットワークサーバに使用の報告を提供することを行う。使用の報告は、ユーザ端末に特有のデジタル署名により証明することができる。使用報告を検証するために、ネットワークサーバにより、証明書が利用される。例えば、証明書により、特定のユーザ端末が、報告したリソースを利用したこと、または、特定のデバイスが、別のこのようなデバイスに対してリソースデータの消費を促進したことを、サーバが検証することが可能になる。さらに、証明書により、証明後の報告の改ざんの検出が可能になる。
【０００８】
さらに、主題的な明細書は、ピア・ツー・ピアワイヤレスリソースの使用とワイヤレスデータ消費とを追跡し、報告するためのメカニズムを開示している。アドホックデータ交換に基づいて、ネットワークサーバに提出された使用報告は、アドホックの相手を、または、このようなデータ交換に関係付けられているデータの量を識別することができる。したがって、ネットワークサーバは、報告された情報の信憑性に関する付加的な相互チェックとして、複数のアドホック通信の相手により提出された、報告されたデータを相互検証することができる。
【０００９】
本開示のいくつかの側面にしたがうと、ワイヤレス通信に対するアカウンティングの方法が提供されている。方法は、ユーザ端末（ＵＴ）により提出された、報告されたリソース使用を取得することを含むことができ、報告された使用は、端末特有のデジタル署名により証明されている。方法はさらに、報告された使用を有効性確認することを含むことができる。
【００１０】
１つ以上の他の側面にしたがうと、装置は、ワイヤレス通信に対するアカウンティングを提供する。装置は、ＵＴにより提出された、報告されたリソース使用を取得する通信インターフェースを具備することができ、報告された使用は、端末特有のデジタル署名により証明されている。さらに、装置は、報告された使用を有効性確認する処理回路を具備することができる。
【００１１】
さらに他の側面において、開示されているのは、ワイヤレス通信に対してアカウントする装置である。装置は、ＵＴにより提出された、報告されたリソース使用を取得する手段を具備することができ、報告された使用は、端末特有のデジタル署名により証明されている。装置はさらに、報告された使用を有効性確認する手段を具備することができる。
【００１２】
少なくとも１つのさらなる側面にしたがうと、提供されているのは、ワイヤレス通信に対してアカウントするように構成されているプロセッサである。プロセッサは、ＵＴにより提出された、報告されたリソース使用を取得する第１のモジュールを具備することができ、報告された使用は、端末特有のデジタル署名により証明されている。さらに、プロセッサは、報告された使用を有効性確認する第２のモジュールを具備することができる。
【００１３】
さらに他の側面において、開示されているのは、コンピュータ読取可能媒体を具備するコンピュータプログラムプロダクトである。コンピュータ読取可能媒体は、コンピュータに、ＵＴにより提出された、報告されたリソース使用を取得させるための第１の組のコードを含むことができ、報告された使用は、端末特有のデジタル署名により証明されている。コンピュータ読取可能媒体はさらに、コンピュータに、報告された使用を有効性確認させるための第２の組のコードを含むことができる。
【００１４】
主題的な開示の１つ以上の側面にしたがうと、提供されているのは、遠隔通信に対するアカウンティングの方法である。方法は、ワイヤレスデータ交換に関連して、１組のリソースを利用することを含むことができる。さらに、方法は、リソース使用の報告を送信することを含むことができ、報告は、ＵＴ特有のデジタル署名により証明されている。
【００１５】
他の側面にしたがうと、開示されているのは、遠隔通信に対してアカウントするように構成されているＵＴである。ＵＴは、ワイヤレスデータ交換に関連して、１組のリソースを利用する処理回路を具備することができる。さらに、ＵＴは、リソース使用の報告をコンパイルして送信するアカウンティングモジュールを具備することができ、報告は、ＵＴ特有のデジタル署名により証明されている。上記に加えて、ＵＴは、デジタル署名に関係付けられているデジタル証明書を記憶するメモリを具備することができる。
【００１６】
付加的な側面にしたがうと、提供されているのは、遠隔通信に対してアカウントするように構成されている装置である。装置は、ワイヤレスデータ交換に関連して、１組のリソースを利用する手段を具備することができる。装置はさらに、リソース使用の報告を送信する手段を具備することができ、報告は、ＵＴ特有のデジタル署名により証明されている。
【００１７】
上記に加えて、提供されているのは、遠隔通信に対してアカウントするように構成されているプロセッサである。プロセッサは、ワイヤレスデータ交換に関連して、１組のリソースを利用する第１のモジュールを具備することができる。さらに、プロセッサは、リソース使用の報告を送信するように構成されている第２のモジュールを具備することができ、報告は、ＵＴ特有のデジタル署名により証明されている。
【００１８】
少なくとも１つのさらなる側面において、開示されているのは、コンピュータ読取可能媒体を具備するコンピュータプログラムプロダクトである。コンピュータ読取可能媒体は、コンピュータに、ワイヤレスデータ交換に関連して、１組のリソースを利用させるための第１の組のコードを含むことができる。コンピュータ読取可能媒体はさらに、コンピュータに、リソース使用の報告を送信させるための第２の組のコードを含むことができ、報告は、ＵＴ特有のデジタル署名により証明されている。
【００１９】
先の目的および関連する目的を達成するために、後で完全に説明し、特に特許請求の範囲において指摘する特徴を１つ以上の側面が含んでいる。以下の説明および添付の図面は、１つ以上の側面のある例示的な側面を詳細に示している。しかしながら、これらの側面は、さまざまな側面の原理を用いることができるさまざまな方法のうちのほんの少しのものであることを示しており、説明する側面は、このようなすべての側面とそれらの均等物とを含むように意図されている。
【図面の簡単な説明】
【００２０】
【図１】図１は、ここで述べる側面にしたがった、ワイヤレス通信を提供する例示的なシステムのブロックダイヤグラムを示している。
【図２】図２は、ワイヤレス通信環境で用いるための例示的な通信装置のブロックダイヤグラムを示している。
【図３】図３は、主題的な開示の側面にしたがった、ユーザ端末（ＵＴ）間の例示的なアドホック通信のブロックダイヤグラムを示している。
【図４】図４は、他の側面にしたがった、ＵＴによりネットワークサーバに提出される、サンプルの証明されている使用記録のブロックダイヤグラムを示している。
【図５】図５は、１つ以上の付加的な側面にしたがった、例示的なネットワークアカウンティングサーバのブロックダイヤグラムを示している。
【図６】図６は、いくつかの側面において、ピア・ツー・ピア通信に対する補足的なサービスおよび広告を提供する例示的なシステムのブロックダイヤグラムを示している。
【図７】図７は、さらなる側面にしたがった、ユーザデータに基づいて、補足的なサービスおよび第三者広告を最適化するサンプルのシステムのブロックダイヤグラムを示している。
【図８】図８は、いくつかの側面にしたがった、リソース使用を安全に追跡し、報告するように構成されている、サンプルの移動体デバイスのブロックダイヤグラムを示している。
【図９】図９は、端末デバイスにおける安全なリソース報告を促進するための例示的な方法論のフローチャートを示している。
【図１０】図１０は、１つ以上のＵＴからリソース利用報告を取得および検証するための、サンプルの方法論のフローチャートを示している。
【図１１】図１１は、ワイヤレス通信中で利用されるリソースを安全に追跡し、報告するための例示的な方法論のフローチャートを示している。
【図１２】図１２は、本開示の少なくとも１つの側面にしたがった、アドホック通信の安全な報告のための例示的な方法論のフローチャートを示している。
【図１３】図１３は、主題的な開示の側面にしたがった、デバイス間にワイヤレス通信を提供する例示的なシステムのブロックダイヤグラムを示している。
【図１４】図１４は、ここで開示する１つ以上の側面にしたがった、ＵＴにより提出されたリソース使用データを検証する、サンプルのシステムのブロックダイヤグラムを示している。
【図１５】図１５は、さらなる側面にしたがった、ワイヤレスリソース使用を安全に追跡し、報告する例示的なシステムのブロックダイヤグラムを示している。
【詳細な説明】
【００２１】
図面を参照して、ここでさまざまな側面を説明する。ここで、同一の参照番号は、全体を通して、同一のエレメントのことを指すために使用する。以下の説明では、説明の目的のために、１つ以上の側面の完全な理解を提供するために、多数の特定の詳細を述べる。しかしながら、これらの特定の詳細なしに、いくつかの側面を実施できることは明らかである。他の例では、１つ以上の側面の説明を促進するために、よく知られている構造およびデバイスが、ブロックダイヤグラムの形態で示されている。
【００２２】
加えて、本開示のさまざまな側面を下記で説明する。幅広いさまざまな形態で、ここでの教示を具現化できることと、ここで開示する何らかの特定の構造および／または機能は、単に代表的なものに過ぎないこととを明らかにすべきである。ここで開示する側面は、他の側面から独立して実現できることと、このような側面のうちの２つ以上をさまざまな方法で組み合わせることができることとを、当業者は、ここでの教示に基づいて、正しく認識すべきである。例えば、ここで述べる非常に多数の側面を使用して、装置を実現することができ、または、方法を実施することができる。さらに、ここで述べる側面のうちの１つ以上に加えて、または、ここで述べる側面のうちの１つ以上の他に、他の構造または機能性を使用して、装置を実現することができ、あるいは、方法を実施することができる。例として、ここで説明する、方法、デバイス、システム、装置の多くは、端末デバイスにおけるワイヤレスリソース使用の安全な追跡および報告を提供するという文脈で説明する。類似する技法を他の通信環境に適用できることを正しく認識すべきである。
【００２３】
ワイヤレス通信システムが進化するにつれて、ネットワークアクセスポイントへの直接的なワイヤレスインターフェース、（１つ以上の端末デバイスを経由する）アクセスポイントへのリレーされたインターフェース、または、ユーザ端末（ＵＴ）間のアドホック通信を含む、さまざまな形態の通信を用いることができる。通信システムが、オペレータ所有のアクセスポイントを必要としないが、ライセンスされているスペクトルを使用する場合には、スペクトルプロバイダがエアリンクリソースの使用のレベルを評定できる方法が存在すべきである。使用のレベルは、典型的に、インフラストラクチャおよびライセンシングコストに関連しており、その結果、加入者に提供するサービスを適切に価格付けするための、または、他の管理の理由のための、有効なデータとなる。
【００２４】
オペレータ所有のアクセスポイントが、通信リソースへの直接的なまたは間接的なサービスを提供する従来のセルラシステムでは、このようなアクセスポイントが、加入者デバイスに対するリソース使用レベルを決定することができる。したがって、デバイス使用に関するユーザ関連の安全性の懸念事項（例えば、ユーザエラー、ユーザ詐欺、およびこれらに類するもの）が軽減または回避される。しかしながら、アドホック通信に対しては、オペレータ制御されたアクセスポイントは、存在する場合には、周囲のＵＴの使用レベルを監視して、これらの追跡機能を実行するために限られた能力しか持たない。特に、オペレータ制御されたアクセスポイントは、アドホック通信に対して必要とされないか、または、アドホック通信に間接的にのみ関わっているか、のいずれかである。
【００２５】
さらに、ワイヤレス通信に関係するいくつかの従来のモデルは、取って代わられている。例えば、ライセンスされているスペクトルまたはライセンスされていないスペクトルにおいて使用するために用いられる認識電話機が、ますます用いられるようになってきている。同様に、通信のためにピア・ツー・ピアフレームワークが用いられている。その結果、スペクトル帯域幅の使用や、消費されたサービス等を追跡する従来のモデルは、このような使用を貨幣化するのはおろか、端末により利用されるワイヤレスインフラストラクチャに関係する費用を回収するのに有効ではなくなってきている。通信の形態にかかわらず、ワイヤレス通信スキームにわたって比較的共通しているポイントは、ユーザ端末によるリソースの使用である。
【００２６】
したがって、通信モデルにおける先述のパラダイムシフトを取り扱う１つの方法は、リソース利用に関係する、周期的で、自己報告のアカウンティングをＵＴが行うことである。このモデルでは、デバイスは、ワイヤレス通信に関連するリソース使用をネットワークに戻すように報告することができる。報告することは、−例えば、サービス契約中に定められているような、決められた条件の発生に基づいて、または、ネットワーク報告トリガに基づいて等−周期的に、散発的に、あるいは、これらに類するように行うことができる。報告は、ピア・ツー・ピアのまたはネットワークのリソースの使用を特徴付けるさまざまなデータを含むことができる。したがって、例えば、報告は、通信中で受信／送信／消費されたデータパケットの数や、受信／送信／消費されたバイトの数や、アクティブ状態で経過した時間等を特定することができる。この目的のために、ワイヤレス端末は、サービスプロバイダのネットワークへの接続が利用可能になるまで、待つことができ、その後、使用報告をアップロードして、ネットワークアカウンティングサーバに戻すことができる。例えば、サービスプロバイダまたはアフィリエイトされているサービスプロバイダにより、アカウンティングサーバを動作させることができる。
【００２７】
先述のものに加えて、移動体端末においてメモリ中に記憶されている端末特有のデジタル証明書に、ＵＴを関係付けてもよい。端末特有のデジタル証明書は、いくつかのパラメータを含むことができ、または、いくつかのパラメータに端末特有のデジタル証明書を関係付けることができる。例えば、パラメータは、ＵＴに対するデバイス識別子（例えば、ハードウェアアドレス、または、ユニバーサルユニーク識別子（ＵＵＩＤ））と、（例えば、６４バイト数または２０４８ビット数の）識別子に関係付けられている公開鍵と、シリアル番号と、証明機関（ＣＡ）署名とを含むことができる。さらに、ＵＴに一意的なまたはＵＴに実質的に一意的なデジタル署名を発生させるために利用される、特定のＵＴを示す、および、特定のＵＴ専用の、秘密データまたは秘密マテリアルに、デジタル証明書を関係付けることができる。
【００２８】
例えば、このようなデバイスの製造の間に、安全なハードウェア中に、安全なソフトウェア中に、または、これらの組み合わせ中に、端末特有の秘密データ／マテリアルを組み込むことができる。さらに、秘密データ／マテリアルを（例えば、プライベート鍵として）使用して、使用データの収集と、アカウンティング報告のコンパイルおよびそれらの遠隔エンティティへの送信とを、セキュリティ保護し、完全性と、否認防止と、他のセキュリティ目標とを促進することができる。例えば、デジタル証明書に関係付けられている公開／プライベート鍵対のプライベート鍵部分を使用して計算された署名を、ネットワークアカウンティングサーバにより利用して、提出する端末の識別子（ＩＤ）とともに報告中のデータの完全性を検証することができる。
【００２９】
１つの側面において、セキュリティ手段は、正確さと送信完全性のために、記録を送信する前に、アカウンティング記録をセキュリティ保護することを含んでいる。例えば、端末は、端末に特有のデジタル証明書を用いて、アカウンティング記録にデジタル的に署名することができる。１つの側面において、デジタル署名のプロセスは、端末が、端末に専用の鍵を用いて、アカウンティング記録のハッシュ上で署名を実行する（例えば、該当するアカウンティングデータにハッシュ関数を適用する）ことを伴う。署名された記録がアカウンティングサーバに到達したときに、サーバは、証明書により識別される端末により収集された記録を検証することができる。１つの例では、署名された記録を受信するアカウンティングサーバは、端末の公開鍵を利用して、関係するメッセージを検証することができる。このために、アカウンティングサーバは、デジタル証明書（例えば、端末識別子および対応する公開鍵）のデータベースを用いることができ、さもなければ、他の適切な方法でこのような証明書を有効性確認することができる。
【００３０】
端末開始のアカウンティング記録をセキュリティ保護し、認証するという目標を達成するための代替的なメカニズムは、端末およびネットワークエンティティ（例えば、アカウンティングサーバ）の双方に記憶されている端末特有の秘密データ、マテリアル、鍵等を伴う。この端末特有の秘密データ／マテリアル／鍵は、ここから後では、共有秘密鍵として呼ぶ。さらに、共有秘密鍵は、さまざまな側面にしたがって、上記で論じたプライベート鍵とは異なる形態（例えば、異なる長さ、異なる関数から発生された等）、または、類似する形態とすることができることを正しく認識すべきである。端末において記憶されているデータを、または、端末から送信されるデータをセキュリティ保護することと、送信の受信者において受信したデータを認証することとの双方において、共有秘密鍵を用いることができる。
【００３１】
共有秘密鍵を用いるときに、端末は、（メッセージ完全性コード［ＭＩＣ］として呼ぶこともある）メッセージ認証コード（ＭＡＣ）を発生させることができる。例えば、ＨＭＡＣ−ＭＤ５関数またはＨＭＡＣ−ＳＨＡ１関数、あるいは、これらに類するもののような、キー一方向性ハッシュ関数によりＭＡＣを発生させることができる。報告中に記憶されているデータをセキュリティ保護する手段として、発生されて、端末（例えば、安全でないメモリ）中に記憶されている報告上に、ＭＡＣ（またはＭＩＣ）を書き込むことができ、あるいは、外部デバイス（例えば、アカウンティングサーバ）にＭＡＣ（またはＭＩＣ）を送信することができる。
【００３２】
アカウンティングサーバがこのような送信を受信したときに、同じ共有秘密鍵およびキー一方向性ハッシュ関数を使用して、サーバにより、対応するバージョンのＭＡＣを発生させる。端末により報告上に書き込まれたＭＡＣと、このＭＡＣとを比較することができる。比較が一致した場合に、アカウンティングサーバは、特定の端末により報告が開始されたことと、報告が改ざんされていないこととの双方を推論し、報告を認証することができる。比較が一致しない場合には、アカウンティングサーバは、報告が真正ではないと推論することができる。共有秘密鍵に基づく比較の結果は、デジタル認証として呼ばれる。それゆえ、ここで利用されている（そして、デジタル署名とは対照的である）デジタル認証は、送信するデータをセキュリティ保護し、受信したデータの完全性を検証する際に、端末およびアカウンティングサーバの双方によりそれぞれ用いられる共有秘密鍵（または他の適切なデータ／マテリアル）のことを指す。データのセキュリティ保護またはデータの検証のために、デジタル署名またはデジタル的に署名することが、ここで言及される場合には、該当する文脈から明らかでない限り、デジタル署名に代わるものとして、または、デジタル署名に加えて、デジタル認証を用いることができることを正しく認識すべきである。
【００３３】
ワイヤレス通信アカウンティング記録は、ここで説明するように、さまざまな方法で定量化された、ライセンスされているスペクトルの使用を反映することができる。例えば、ある期間の間に端末により交換されたＩＰ（インターネットプロトコル）データパケットの総数や、ある期間中に消費、送信、または、受信されたバイトの総数や、端末が“アクティブ”である時間の持続時間や、あるいは、これらのサブセットは、記録中に含まれているデータを定量化するための役割を果たすことができる。さらに、記録は、各アクティブ期間の間に、通信の相手のＩＤを特定することができる。下記で詳細に論じるように、後者の特徴は、ＵＴにより提出された記録の相互検証を可能にする。
【００３４】
ピア・ツー・ピア方式で動作するワイヤレス端末は、それぞれのスペクトル使用を効率的に追跡するように構成することができる。それゆえ、このような端末がそれら自身のアカウンティング記録をコンパイルして、インフラストラクチャに報告するときには、ネットワークコンポーネントにおける処理リソースを節約することができる。しかしながら、端末は、ピア・ツー・ピア通信の間には、オペレータのネットワークによって、ごくわずかに制御されているか、または、まったく制御されていないことが多いので、デバイス管理された追跡および報告が原因となり、セキュリティリスクが生じる。
【００３５】
さらに、それぞれのＵＴリソース使用に関する正確なデータは、（例えば、ＵＴ使用の関数として、または、それぞれの広告主によるＵＴに対するアクセスの関数として支払う）広告主への請求、リソース利用に対するユーザへの課金、ユーザと、サービスプロバイダと、広告主との間での料金分割、および、これらに類することに関連して、用いることができる。加えて、このようなデータを利用して、ユーザ使用、使用のタイプ、好み等の関数として、サービスを供給するとともに、サービスプロバイダと、広告主と、ユーザのサブセットをターゲットとするこれらに類するものとに対して、価格付けを設定することができる。したがって、ここで説明する側面は、リソース利用の追跡と、貨幣化モデルの最適化と、サービスの提供と、レートのセッティングと、負荷分散と、ユーザ経験の向上と、サービスの個人化と、リソース割り振りの最適化と、これらに類するものとを促進することができる。
【００３６】
デバイス管理されたアカウンティングに関係するいくつかのセキュリティ脅威は、詐欺（例えば、過小報告）、報告の失敗、または、他の（例えば、被害者の）端末になり代わってのアカウンティング記録の偽装／成りすましを含むことがある。他のセキュリティ脅威も存在することがあり、一般に、ユーザの制御下での、意図的なまたは意図的でない端末の誤動作の結果として生じることがある。ここで説明するように、セキュリティ手段は、誤ったまたは詐欺的な報告の脅威を軽減または回避するために提供される。
【００３７】
先述のものに加えて、リソース使用を追跡することができ、端末の安全なプラットフォーム中に、端末の信頼されているモジュール中に、または、端末の改ざん防止モジュール中に、使用記録をコンパイルすることができる。これは、デバイスの別のモジュール（例えば、ユーザまたはデバイスのプログラマブルモジュール）による、記録への認可されていないアクセスを軽減することができる。記録の記憶もまた、認可されていないソフトウェア／ハードウェアのモジュールにより、セキュリティ保護され、改ざんを防止することができる。加えて、デジタル署名を実行するソフトウェア／ハードウェアの一部分に対して、ＵＴ特有の秘密データ（例えば、デジタル証明書に関係付けられているプライベート鍵）を利用して、このような記録を安全に提供することができる。上記で論じたように、記録にいったんデジタル的に署名すると、アカウンティングサーバに対する送信のために、安全なインターフェースを介して、デバイスの安全なロケーションから、署名した記憶を出力することができる。
【００３８】
上記で記したように、アカウンティング記録は、時間の期間の間に、問題になっている端末により、送られた、あるいは、受信された、バイトまたはパケットの累積記録を含むことができ、または、時間の間に、通信ピアにより、記録を分解することができる。例えば、端末Ａが、端末Ｂ、そして、端末Ｃとのピア・ツー・ピア通信を有していた場合に、端末Ａは、Ｃと交換した、パケット／パケットの数／バイトとは別に、Ｂと交換した、パケット、パケットの数、転送されたデータのバイト等を報告することができる。オプション的な側面として、ユーザは、ある利益と交換に、オプトインすることができ、例えば、異なるピアデバイスが、アカウンティング記録をピアごとに報告するように構成されている場合、サービスプロバイダは、このようなデバイスの記録を相互チェックすることができる。相互チェック構成は、すべてのセッションに対するものとすることができ、または、相互チェックするオーバーヘッドを減らすために、セッションの可能性あるランダムなサブセットに対するものとすることができる。少なくとも１つの側面では、ピア・ツー・ピア通信セッションの終わりに、２つ以上の端末が、相互チェックのために、完了したセッションのアカウンティング記録を交換することができ、相手端末に特有のプライベート鍵によりデジタル署名されているセッションのサマリーを、それぞれ取得することができる。単一のピア・ツー・ピアの相手を用いて、双方の相手により署名されている、セッションに対するアカウンティング記録を提出するような、付加的なシステム最適化が、相互チェックおよび相互署名により可能になる。どの端末が報告を実行するかは、交渉することができ／統計的に、または、このような端末のモジュールの相互合意により、構成または決定することができる。
【００３９】
主題的な開示中で使用されている、用語「コンポーネント」、「システム」、「モジュール」、および、これらに類するものは、ハードウェアや、ソフトウェアや、実行中のソフトウェアや、ファームウェアや、ミドルウェアや、マイクロコードや、および／または、これらの何らかの組み合わせのいずれかである、コンピュータ関連エンティティのことを指すことを意図している。例えば、モジュールは、これらに限定されないが、プロセッサ上で動作しているプロセス、プロセッサ、オブジェクト、実行ファイル、実行のスレッド、プログラム、デバイス、および／または、コンピュータとすることができる。１つ以上のモジュールは、プロセスまたは実行のスレッド内に存在することができ、モジュールは、１つの電子デバイス上に局所化することができ、あるいは、２つ以上の電子デバイスの間に分散することができる。さらに、それらの上にさまざまなデータ構造を記憶させているさまざまなコンピュータ読取可能媒体から、これらのモジュールは実行することができる。モジュールは、１つ以上のデータパケット（例えば、ローカルシステム中の、分散システム中の別のコンポーネントと対話する、または、インターネットのようなネットワークを通して、信号によって他のシステムと対話する、１つのコンポーネントからのデータ）を有する信号にしたがうような、ローカルまたは遠隔のプロセスによって通信することができる。さらに、ここで説明するシステムのコンポーネントまたはモジュールは、付加的なコンポーネント／モジュール／システムに関して説明されている、さまざまな側面、目標、利点等の達成を促進するために、付加的なコンポーネント／モジュール／システムにより再構成することができ、または、補完することができ、当業者により正しく認識されるように、所定の図面において示されているまさにその構成に限定されるものではない。
【００４０】
さらに、ユーザ端末（ＵＴ）に関連して、ここでさまざまな側面を説明する。ＵＴは、システム、加入者ユニット、加入者局、移動局、移動体、移動体通信デバイス、移動体デバイス、遠隔局、遠隔端末、アクセス端末（ＡＴ）、ユーザエージェント（ＵＡ）、ユーザデバイス、または、ユーザ機器（ＵＥ）としても呼ぶことができる。加入者局は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、あるいは、ワイヤレスモデムにまたは処理デバイスとのワイヤレス通信を促進する類似するメカニズムに接続されている他の処理デバイスとすることができる。
【００４１】
１つ以上の例示的な実施形態において、説明する機能は、ハードウェアで、ソフトウェアで、ファームウェアで、ミドルウェアで、マイクロコードで、または、これらの何らかの適切な組み合わせで実現することができる。ソフトウェアで実現した場合、機能は、１つ以上の命令またはコードとして、コンピュータ読取可能媒体上に記憶することができ、あるいは、１つ以上の命令またはコードとして、コンピュータ読取可能媒体上に送信することができる。コンピュータ読取可能媒体は、１つの場所から別の場所へのコンピュータプログラムの転送を促進する何らかの媒体を含むコンピュータ記憶媒体および通信媒体の双方を含む。記憶媒体は、コンピュータによりアクセスできる何らかの物理的な媒体であってもよい。例として、これらに限定されないが、このようなコンピュータ記憶媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、スマートカード、および、フラッシュメモリデバイス（例えば、カード、スティック、キードライブ．．．）、あるいは、コンピュータによりアクセスでき、命令またはデータ構造の形態で所望のプログラムコードを運ぶまたは記憶するために使用できる他の何らかの媒体を含むことができる。例えば、ソフトウェアが、同軸ケーブルや、光ファイバケーブルや、撚り対や、デジタル加入者回線（ＤＳＬ）や、あるいは、赤外線、無線、およびマイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）は、データをレーザによって光学的に再生する。先のものを組み合わせたものもまた、コンピュータ読取可能媒体の範囲内に含められるべきである。
【００４２】
ハードウェアインプリメンテーションのために、ここで開示する側面に関連して説明する、処理ユニットのさまざまな例示的な論理、論理的ブロック、モジュール、および、回路は、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、ディスクリートゲートまたはトランジスタ論理、ディスクリートハードウェアコンポーネント、汎用プロセッサ、制御装置、マイクロ制御装置、マイクロプロセッサ、ここで説明する機能を実行するように設計されている他の電子ユニット、あるいは、これらの組み合わせの内で、実現または実行することができる。汎用プロセッサは、マイクロプロセッサとすることができるが、代替実施形態において、プロセッサは、何らかの従来のプロセッサ、制御装置、マイクロ制御装置、または、状態機械とすることができる。プロセッサはまた、コンピューティングデバイスの組み合わせとして、例えば、ＤＳＰとマイクロプロセッサの組み合わせ、複数のマイクロプロセッサ、ＤＳＰコアを備えた１つ以上のマイクロプロセッサ、または、他の何らかの適切なコンフィギュレーションとして実現することができる。さらに、少なくとも１つのプロセッサは、ここで説明するステップおよび／またはアクションのうちの１つ以上を実行するように動作可能である１つ以上のモジュールを含むことができる。
【００４３】
さらに、ここで説明するさまざまな側面または特徴は、標準のプログラミングおよび／またはエンジニアリング技法を使用して、方法、装置、または、製造物として実現することができる。さらに、ここで開示する側面に関連して説明する方法あるいはアルゴリズムのステップおよび／またはアクションは、直接、ハードウェアで、プロセッサにより実行されるソフトウェアモジュールで、あるいは、２つの組み合わせで具現化することができる。さらに、いくつかの側面では、方法あるいはアルゴリズムのステップまたはアクションは、コンピュータプログラムプロダクト中に組み込むことができる、機械読取可能媒体上あるいはコンピュータ読取可能媒体上に、コードまたは命令のうちの少なくとも１つ、あるいは、コードまたは命令の何らかの組み合わせ、あるいは、コードまたは命令の組として存在することができる。ここで使用するような用語“製造物”は、何らかの適切なコンピュータ読取可能デバイスまたは媒体からアクセス可能なコンピュータプログラムを含むことを意図している。
【００４４】
さらに、単語“例示的な”は、ここでは、“例、事例、または、例示としての役割を果たす”ことを意味するように使用する。“例示的な”としてここで説明する何らかの側面または設計は、必ずしも、他の側面または設計より好ましい、または、他の側面または設計より利点があるものとして解釈すべきではない。むしろ、単語、例示的な、の使用は、具体的な形で概念を提示することを意図している。本出願で使用するように、用語“または”は、排他的な“または”というよりむしろ、包含的な“または”を意味することを意図している。すなわち、そうではないと明記されていない限り、または、文脈から明らかでない限り、“ＸがＡまたはＢを用いる”は、自然な包含的順列のうちのいずれかを意味することを意図している。すなわち、ＸがＡを用いる；ＸがＢを用いる；あるいは、ＸがＡおよびＢの双方とも用いる場合、“ＸがＡまたはＢを用いる”は、先述の例のうちのいずれのものによっても満たされる。さらに、本出願および添付した特許請求の範囲で使用している冠詞「ａ」および「ａｎ」は、そうではないと明記されていない限り、または、単数形に向けられている文脈から明らかでない限り、一般的に、“１つ以上”を意味すると解釈すべきである。
【００４５】
ここで使用するように、“推論する”または“推論”という用語は、一般的に、イベントまたはデータを通して捕捉されるような１組の観測から、システム、環境、または、ユーザの状態について推理するあるいは推論するプロセスのことを指す。推論は、特定の状況またはアクションを識別するために用いることができ、あるいは、例えば、状態に対する確率分散を生成させることができる。推論は、確率論的なものである−すなわち、データおよびイベントの考察に基づいての、対象の状態に対する確率分散の計算とすることができる。推論はまた、１組のイベントまたはデータから、より高いレベルのイベントを構成するために用いられる技法のことを指すこともある。このような推論は、イベントが時間的に近いところで相関しているか否かにかかわらず、ならびに、イベントおよびデータが、１つまたはいくつかの、イベントならびにデータソースから到来したか否かにかかわらず、結果として、１組の観測されたイベントおよび／または記憶されたイベントデータからの、新しいイベントまたはアクションの構築になる。
【００４６】
ここで図面を参照すると、図１は、１つ以上の側面に関連して利用することができるような、複数の基地局１１０と複数の端末１２０とを持つワイヤレス通信システム１００を示している。基地局（１１０）は、一般的に、端末と通信する固定局であり、アクセスポイント、ノードＢ、または、他の何らかの専門用語と呼ぶこともできる。１０２ａ、１０２ｂ、および、１０２ｃと名づけられている、図１中の３つの地理的なエリアとして示されている、特定の地理的なエリアまたはカバレッジエリアに対して、各基地局１１０は、通信カバレッジを提供する。用語“セル”は、その用語が使用される文脈に依存して、基地局および／またはそのカバレッジエリアのことを指すことがある。システム容量を改善するために、基地局の地理的なエリア／カバレッジエリアを、複数のより小さいエリア（例えば、図１中のセル１０２ａにしたがうと、３つのより小さいエリア）１０４ａ、１０４ｂ、および、１０４ｃに区分することができる。それぞれの基地トランシーバサブシステム（ＢＴＳ）により、より小さい各エリア（１０４ａ、１０４ｂ、１０４ｃ）を担当することができる。用語“セクター”は、その用語が使用される文脈に依存して、ＢＴＳおよび／またはそのカバレッジエリアのことを指すことがある。セクター化されたセルに対して、そのセルのすべてのセクターに対するＢＴＳは、典型的に、セルに対する基地局内の同じ場所に配置されている。ここで説明するＲＵＭ蓄積／利用技法は、セクター化されたセルを持つシステムとともに、複数のセクター化されていないセル（例えば、より大きい地理的エリアの複数のセル）を持つシステムに対して使用することができる。簡潔さのために、以下の説明では、一般的に、そうではないと明記されていない限り、用語“基地局”は、セクターを担当する固定局とともに、セルを担当する固定局に対して使用する。加えて、一般的に、用語“セル”は、複数のセクターを含む地理的なセル、または、複数のセルを含む地理的なエリアのことを指すように使用する。
【００４７】
端末１２０は、典型的に、システム全体を通して散らばっており、各端末１２０は、固定または移動性のものとすることができる。上記で論じたように、端末１２０は、移動局、ユーザ機器、ユーザデバイス、または、他の何らかの専門用語で呼ぶこともできる。端末１２０は、ワイヤレスデバイス、セルラ電話機、パーソナルデジタルアシスタント（ＰＤＡ）、ワイヤレスモデムカード等とすることができる。各端末１２０は、何らかの所定の瞬間において、ダウンリンク上およびアップリンク上で、０個、１個、または、複数個の基地局１１０と通信することができる。ダウンリンク（またはフォワードリンク）は、基地局から端末への通信リンクのことを指し、アップリンク（またはリバースリンク）は、端末から基地局への通信リンクのことを指す。ここで使用するように、端末１２０がアクティブな通信またはアクティブな登録を維持している基地局は、“担当基地局”と称する。
【００４８】
集中型のアーキテクチャに対しては、システム制御装置１３０は、基地局１１０に結合しており、基地局１１０に対して調整および制御を提供する。例えば、ここで論じるように、システム制御装置は、端末１２０により基地局１１０に提出されたアカウンティング記録を取得することができ、システム制御装置１３０において、アカウンティング記録を管理する。さらに、システム制御装置１３０は、ピアノードにより詳細に記載されているアカウンティング記録（例えば、１つの基地局により取得された、または、複数の基地局１２０により取得された、システム制御装置１３０におけるデータベース中に記憶されている記録）を相互チェックし、このような記録中に提出されたデータの付加的な検証を行うことができる。
【００４９】
分散型のアーキテクチャに対しては、基地局１１０は、必要に応じて、（例えば、示されていないバックホールネットワークを用いて、）互いに通信することができる。フォワードリンク上のデータ送信は、フォワードリンクによりおよび／または通信システムによりサポートすることができる最大データレートにおいて、あるいは、フォワードリンクによりおよび／または通信システムによりサポートすることができる最大データレート付近で、１つのアクセスポイントから１つのアクセス端末へと生じることが多い。フォワードリンクの付加的なチャネル（例えば、制御チャネル）は、複数のアクセスポイントから１つのアクセス端末へと送信することができる。リバースリンクデータ通信は、１つのアクセス端末から１つ以上のアクセスポイントへと生じることがある。
【００５０】
図２は、さまざまな側面にしたがった、半ば計画されているアドホックワイヤレス通信環境２００の例である。システム２００は、セル中に、または、セクター（２０６ａ、２０６ｂ、２０６ｃ、２０６ｄ）中に、１つ以上の基地局２０２を含むことができ、１つ以上の基地局２０２は、ワイヤレス通信信号を受信し、（示されていない）他の基地局に対してまたは１つ以上の移動体デバイス２０４に対して送信し、中継する等する。示されているように、基地局２０２は、特定の地理的なエリア２０６ａに対して通信カバレッジを提供することができる。基地局２０２は、送信機チェーンと受信機チェーンとを具備し、そのそれぞれは、当業者により正しく認識されるように（例えば、下記の図１３参照）、さらに、信号の送受信に関係する複数のコンポーネント（例えば、プロセッサ、変調器、マルチプレクサ、復調器、デマルチプレクサ、アンテナ等）を備えることができる。
【００５１】
移動体デバイス２０４は、例えば、セルラ電話機や、スマートフォンや、ラップトップや、ハンドヘルド通信デバイスや、ハンドヘルドコンピューティングデバイスや、衛星ラジオや、グローバルポジショニングシステムや、ＰＤＡや、または、遠隔デバイスとワイヤレスデータ交換するように構成されている他の何らかの適切なデバイスとすることができる。移動体デバイス２０４が、ワイヤレス通信信号を、互いに、および／または、システム２００の基地局２０２に、受信し、送信し、中継すること等もできることを、正しく認識すべきである。さらに、システム２００は、移動体デバイス２０４間のアドホック通信を促進する同期化送信機２０８を具備することができる。例えば、同期化送信機２０８は、ピア・ツー・ピア送信、受信、処理、および、これらに類するもののために、タイミング基準として移動体端末により用いられる、同期化タイミングシーケンスを送信することができる（例えば、図１３も参照）。いくつかの環境では、タイミングシーケンスは、他のデバイス（２０２、２０４）に対してほとんど干渉を発生させないおよびほとんど干渉を受信しないシンプルなパルス信号とすることができるので、（例えば、複数のセルまたはセクター２０６ａ、２０６ｂ、２０６ｃ、２０６ｄを含む）比較的広い地理的なエリアにわたって、タイミングシーケンスをブロードキャストすることができる。ここで述べるように、ワイヤレス通信環境（２００）の提供を促進するために、主題的な開示のさまざまな側面に関連して、システム２００を用いることができる。
【００５２】
図３は、主題的な開示の側面にしたがった、アドホック通信の例示的なシステム３００のブロックダイヤグラムを示している。システム３００は、第２のＵＴ、ＵＴ−Ｂ３０４とのワイヤレス通信リンク３０６を維持する第１のＵＴ、ＵＴ−Ａ３０２を含んでいる。ＵＴ３０２、３０４は、ワイヤレスリンク３０６に関連してＵＴ３０２、３０４により利用されるワイヤレスリソースを追跡し、このようなワイヤレスリソースに関連して送った、受信した、または、消費したデータを量子化するように構成されている。量子化したデータは、ワイヤレスネットワークのアカウンティングサーバ３１０に対して送信することができるリソース使用記録（３０８Ａ、３０８Ｂ）中にコンパイルすることができる。主題的な開示の特定の側面にしたがうと、リソース使用記録（３０８Ａ、３０８Ｂ）は、報告をコンパイルしたＵＴ（３０２、３０４）に特有のデジタル証明書に関係付けられているプライベート鍵により、デジタル的に署名されている。したがって、アカウンティングサーバ３１０は、使用記録（３０８Ａ、３０８Ｂ）を提出するＵＴ（３０２、３０４）を検証することができ、このような記録（３０８Ａ、３０８Ｂ）中に含まれているデータが真正であるか否かを検証することができる。
【００５３】
ＵＴ（３０２、３０４）は、（示されていないが、図８の８１２参照の）安全な追跡デバイスを用いて、ＵＴ３０２、３０４により用いられるワイヤレスデータ交換に関連して、ＵＴ（３０２、３０４）のリソース使用を追跡することができる。ここで利用されているように、リソースは、ライセンスされている周波数（例えば、セルラ周波数）を通して交換されたデータや、移動体デバイスアプリケーション（例えば、メディアファイル、ストリーミングビデオアプリケーション、ストリーミングオーディオアプリケーション、または、これらに類するもの）の使用や、移動体デバイスアプリケーションに関連して消費されたデータや、あるいは、これらに類するものを含むことができる。加えて、ＵＴ（３０２、３０４）により送信または受信された、または、ＵＴ（３０２、３０４）のアプリケーションにより消費された、ＩＰデータパケットの数により、ＵＴ（３０２、３０４）により送信／受信／消費されたバイトの数により、あるいは、これらに類するものにより、データを定量化することができる。先述のものに加えて、例えば、音声通信またはデータ通信を行う（例えば、ネットワークアプリケーションサーバから、データをダウンロードする、ニュース、スポーツ等を見る）際に、ＵＴ３０２、３０４は、ワイヤレスリンク３０６を、あるいは、基地局とのまたは（示されていない）アプリケーションサーバとのリンクを、維持する時間の期間等により、リソースの利用を定量化することができる。したがって、主題的な開示の少なくともいくつかの側面において、ＵＴリソース使用は、ピア・ツー・ピア使用、ＵＴネットワーク使用、または、ＵＴネットワーク使用に関連するピア・ツー・ピア使用を含むことができる。しかしながら、先述のリソースおよびリソース利用は、単に例に過ぎないことを正しく認識すべきである。ここで提供する文脈により決定される、リソース利用の、または、データ量子化の他の適切な例は、ワイヤレスデータ交換に関連して利用することができる追跡可能なリソースとして企図されている。
【００５４】
ＵＴ３０２、３０４は、さまざまなメカニズムによりリソース使用を追跡することができる。例えば、ＵＴアプリケーションにより送られた、受信された、および／または、消費された、データパケット、バイト等を、カウントすることができ、ＵＴ３０２、３０４のメモリ（例えば、改ざん防止メモリ）中に記憶させることができる。他の側面では、リソース利用は、ログ記録することができ、メモリ中に記憶されているデータ／リソースログ中に維持することができる。電子デバイスによるリソース使用を追跡する他のメカニズムが、ここでは企図されている。
【００５５】
ＵＴ３０２、３０４により追跡されるリソース使用は、それぞれのＵＴ３０２、３０４により、使用またはアカウンティングの記録３０８Ａ、３０８Ｂ中にコンパイルされる。リソース／アカウンティング記録３０８Ａ、３０８Ｂは、それぞれのＵＴに特有のデジタル証明書を用いることにより、ＵＴ３０２、３０４によってセキュリティ保護することができる。したがって、例えば、ＵＴ−Ａ３０２は、ＵＴ−Ａ３０２に特有のデジタル証明書に関係付けられているプライベート鍵を用いて、使用記録Ａ ３０８Ａにデジタル的に署名することができる。さらに、下記でより詳細に論じるように、ＵＴ−Ａ３０２は、ＵＴ−Ｂ３０４に特有のデジタル証明書に関係付けられているプライベート鍵により署名されている、ＵＴ−Ａ３０２とＵＴ−Ｂ３０４との間で交換されたデータのサマリーを受信することができる。
【００５６】
アカウンティングサーバ３１０は、ＵＴ−Ａ３０２またはＵＴ−Ｂ３０４に関係付けられているプライベート鍵を用いて、使用記録Ａまたは使用記録Ｂの真正性をそれぞれ検証することができる。公開鍵は、端末特有のデジタル証明書の一部なので、ＵＴ−Ａ３０２からまたはＵＴ−Ｂ３０４から直接、公開鍵を取得することができ、代替的に、アカウンティングサーバ３１０により、または、アカウンティングサーバ３１０に結合されているネットワークコンポーネントにより管理されているデータベースから、公開鍵を取得することができる。１つの特定の例として、アカウンティングサーバ３１０は、ＵＴ−Ａ３０２および／またはＵＴ−Ｂ３０４とのワイヤードのまたはワイヤレスのデータ交換を通して、使用記録（３０８Ａ、３０８Ｂ）を受信することができる。アカウンティングサーバ３１０は、それぞれのＵＴに関係付けられているＵＴ特有の公開鍵を取得することができる。ＵＴ特有の公開鍵をアカウンティングサーバ３１０により用いて、受信した使用記録（３０８Ａ、３０８Ｂ）のＵＴ特有のデジタル署名を検証することができる。特に、署名を検証するために、デジタル署名により署名されているデータは、（例えば、適切なデジタル署名アルゴリズムにしたがって、）ＵＴ特有の公開鍵と結合させることができる。使用記録の署名の検証が成功した場合に、記録（３０８Ａ、３０８Ｂ）と、そこに含まれているデータとを、正確であり、ＵＴ特有の公開鍵に関係付けられているＵＴにより開始されたものであるとして、検証することができる。使用記録の署名の検証が合格しなかった場合には、不正であるまたは信頼できないものとして、あるいは、これらに類するものとして、記録にフラグを立てることができる。いったんデジタル署名を検証すると、アカウンティングサーバ３１０は、データ管理のために、ＵＴ請求のために、あるいは、移動体またはワイヤレスのネットワークの同様なアカウンティング機能のために、使用記録（３０８Ａ、３０８Ｂ）内に含まれているデータを読み取ることができる。
【００５７】
主題的な開示の少なくとも１つのさらなる側面にしたがうと、ＵＴ（３０２、３０４）のうちの少なくとも１つは、ワイヤレスリンク３０６に関係付けられている使用サマリーを、リンクに参加している他のそれぞれのＵＴ（３０２、３０４）に対して提供することができる。送信ＵＴ３０２、３０４に属する証明書に関係付けられている、ＵＴ特有のプライベート鍵により、使用サマリーに署名することができる。相手のＵＴ（３０２、３０４）から受信した使用サマリーは、受信ＵＴ（３０２、３０４）によりコンパイルされた使用報告（３０８Ａ、３０８Ｂ）中に含めることができる。したがって、ワイヤレスリンク３０６に参加している双方のデバイスのＵＴ特有のデジタル署名により、使用報告（３０８Ａ、３０８Ｂ）に署名することができ、または、使用報告（３０８Ａ、３０８Ｂ）は、ワイヤレスリンク３０６に参加している双方のデバイスのＵＴ特有のデジタル署名を含むことができる。したがって、アカウンティングサーバ３１０は、例えば、上記で説明したように、使用報告（３０８Ａ、３０８Ｂ）のさらなる検証として、双方のＵＴ（３０２、３０４）のデジタル署名を検証することができる。いくつかの側面では、アカウンティングサーバ３１０は、例えば、使用報告３０８Ｂのような第２の使用報告中に含まれているデータによって、１つの使用報告中、例えば、使用報告３０８Ａ中に含まれているデータを相互検証することができる。特に、使用報告３０８Ａが、ＵＴ−Ｂ３０４との通信を示している場合には、使用報告３０８Ａ中で提出されたデータの正確性をさらに検証するために、ＵＴ−Ｂ３０４に関係付けられている使用報告（３０８Ｂ）を参照することができる。
【００５８】
図４は、主題的な開示の側面にしたがった、例示的な使用報告４００を示している。使用報告４００は、使用報告をコンパイルしたＵＴのＩＤを識別する端末ＩＤ４０２を含むことができる。ＩＤは、移動体加入者識別子（ＭＳＩ）、国際移動体加入者識別子（ＩＭＳＩ）、ＵＴに関係付けられている加入者ＩＤ、または、同様の識別子を含むことができる。さらに、使用報告４００は、端末証明書４０４を含むことができる。端末証明書４０４を利用して、使用報告４００を認証するために／完全性保護するために利用されるデジタル署名（４１２）の真正性を検証することができる。先述のものに加えて、使用報告４００により、収集期間４０６を特定することができる。収集期間４０６は、例えば、ＵＴにより開始されたワイヤレスデータ交換に関連して利用されたリソース使用の期間を示すことができる。例えば、収集期間４０６は、その時間期間にわたってＵＴにより使用データが収集される単一の時間期間（例えば、日、週、月等）や、それぞれが、ＵＴによるアクティブなリソース使用（例えば、データおよび／または音声通話）と一致する複数の時間期間や、あるいは、その双方とすることができる。先述のものに加えて、使用報告４００は、ワイヤレスデータ交換に関連してＵＴにより送られた／受信された／消費されたバイト４０８を含むことができる。バイトは、例えば、収集期間４０６にわたって送った／受信した／消費したバイトとすることができる。さらに、使用報告４００は、ピア・ツー・ピアＩＰデータパケットカウントリスト４１０を含むことができる。ピア・ツー・ピアＩＰデータパケットカウントリスト４１０は、ＵＴとのワイヤレスデータ交換のインスタンスに参加しているピアノードのピアＩＤと、このインスタンスに対してこのようなピアノードに送られたパケットの数と、このインスタンスに対してこのようなピアノードから受信したパケットの数とを示すことができる。さらに、使用報告４００は、使用報告４００をコンパイルしたＵＴの、ＵＴ特有の署名４１２を含むことができる。ＵＴ特有の署名４１２を利用して、使用報告４００中に含まれている情報（４０２、４０４、４０６、４０８、４１０）をセキュリティ保護することができ、それゆえ、何らかの適切な検証者により、ＵＴ特有の署名４１２を使用して、このような情報（４０２、４０４、４０６、４０８、４１０）が損なわれているか否かを評定することができる。
【００５９】
図５は、主題的な開示の側面にしたがった、例示的なアカウンティングサーバ５００のブロックダイヤグラムを示している。移動体ネットワークによりアカウンティングサーバ５００を利用して、遠隔通信ノード（例えば、他の移動体端末、ワイヤレスアクセスポイント、基地局等）とのワイヤレスデータ交換に携わっている移動体端末によりコンパイルされ、提出されたリソース使用報告を受信し、検証し、または、管理することができる。特に、このような端末によりコンパイルされ、提出された使用報告をデジタル的に検証するように、アカウンティングサーバ５００を構成することができる。
【００６０】
アカウンティングサーバ５００は、通信インターフェース５０４を具備することができる。通信インターフェース５０４は、１つ以上のＵＴとデータを交換するために、ネットワークまたはネットワークの組み合わせ（例えば、インターネットプロトコル［ＩＰ］ネットワークおよび移動体ネットワーク）に通信可能に結合することができる。特に、通信インターフェース５０４は、ＵＴから報告されたリソース使用（例えば、使用報告）を取得することができ、報告された使用は、端末特有のデジタル署名により証明されている。オプション的に、アカウンティングサーバ５００は、報告されたリソース使用を提出したＵＴへの応答メッセージを開始することができ、応答メッセージは、報告されたリソース使用の受信を肯定応答する。
【００６１】
さらに、アカウンティングサーバ５００は、処理回路５０２を具備することができる。処理回路５０２は、通信インターフェース５０４により取得した、報告されたリソース使用を有効性確認することができる。有効性確認は、報告されたリソース使用をコンパイルして、提出したＵＴに関係付けられている公開鍵を用いて、報告されたリソース使用中に含まれている端末特有のデジタル署名を検証することを含むことができる。少なくとも１つの側面にしたがうと、処理回路５０２は、報告されたリソース使用をコンパイルして、提出したＵＴとの通信に参加しているピアノードに関係付けられている１つ以上の公開鍵をさらに用いて、報告されたリソース使用をさらに有効性確認することができる。例えば、１つ以上の公開鍵を用いて、報告されたリソース使用中に含まれているこのようなピアノードの、端末特有のデジタル署名を検証することができる。いくつかの側面では、ピアノードの公開鍵を記憶装置／メモリ５１０中に維持することができ、記憶装置／メモリ５１０は、（例えば、ＵＴサービスプロバイダにより提供される）ＵＴの認可されているリストと、このようなＵＴに関係付けられている公開鍵とを記憶する。主題的な開示の他の側面では、アカウンティングサーバ５００は、ＵＴにより提出されたデジタル証明書から公開鍵を取得することができる。
【００６２】
先述のものに加えて、通信インターフェース５０４において取得した、報告されたリソース使用から、使用関連の情報を抽出するデータパーサ５０６を、アカウンティングサーバ５００は具備することができる。データパーサ５０６は、例えば、ＵＴに関係付けられているワイヤレスデータ交換中で送られた、受信された、または、消費された、パケットの数および／またはバイトの数を抽出することができる。さらに、データパーサ５０６は、ＵＴにより送られたデータを受信したノードのＩＤまたはＵＴにより受信したデータを送出したノードのＩＤのそれぞれや、ＵＴに関係付けられているワイヤレス通信の時間または持続時間や、あるいは、ＵＴに関係付けられている高められたサービス品質（ＱｏＳ）メカニズムの起動または持続時間を、抽出することができる。ＵＴにより提供され、報告されたリソース使用に基づいている、加入者請求およびアカウンティングサービスに対して、データパーサ５０６により抽出したデータを用いることができる。特に、報告モジュール５０８は、ネットワークインターフェース５０４を用いて、データパーサ５０６により抽出したデータを、サービスプロバイダの請求および課金機能に対して提出することができる。
【００６３】
主題的な開示の少なくとも１つの付加的な側面にしたがうと、データパーサ５０６は、データ交換に関連して、ＵＴにより観測された標準以下のＱｏＳレベルを抽出することができる。代替的にまたは付加的に、データパーサ５０６は、ＵＴにより提供されたリソース使用中に報告されている、（例えば、事前に計画された、分、バイト、データパケット等の）使用不足情報を抽出することができる。標準以下のＱｏＳレベル、または、使用不足情報は、報告モジュール５０８により、使用報告中に含めることができ、例えば、請求を調整するために、または、請求クレジットを提供するために、あるいは、これに類することのために、利用することができる。
【００６４】
上記のものに加えて、開示の特定の側面にしたがうと、アカウンティングサーバ５００は、ＵＴからの、報告されるリソース使用の提出を、オプション的にトリガすることができる。例えば、通信インターフェース５０４は、移動体ネットワークコンポーネントによりワイヤレスポーリングメッセージに変換される要求を、オプション的に開始することができ、ワイヤレスポーリングメッセージは、ＵＴに転送される。ポーリングメッセージに応答して、ＵＴは、ここで説明したように、デジタル的に署名したリソース使用報告を移動体ネットワークに対して提出し、リソース使用報告は、通信インターフェース５０４にルーティングすることができる。別の例として、通信インターフェース５０４は、少なくとも部分的に無線でＵＴと直接的または間接的に通信するためのワイヤレス通信用に構成された、ワイヤレスインターフェース５１２をオプション的に具備することができる。
【００６５】
図６は、ＵＴ６０２により利用されるライセンスされているスペクトルおよびプロバイダサービスの、付加的な貨幣化を提供する、サンプルのシステム６００のブロックダイヤグラムを示している。システム６００は、第三者サービスプロバイダ、広告主、または、移動体商用エンティティを利用することができ、付加的な収益を発生させる際に、ネットワークプロバイダの加入者基地を活用することができる。ユーザ使用の、使用のタイプの、または、好みの関数とした、サービスを供給する際の要因として、ＵＴによって報告された安全なデータ使用を用いて、ユーザ間での料金分割を確立またはバランスさせるか、あるいは、（例えば、広告、サービス等を配信するための）加入者帯域幅にアクセスする第三者に対する価格付けを設定することができる。したがって、システム６００の側面は、貨幣化モデルを最適化すること、サービスを供給すること、使用レートを設定すること、負荷をバランスさせること、ユーザ経験を向上させること、サービスを個人化すること、リソース割り振りを最適化すること等とともに、安全なリソース利用追跡を促進することができる。
【００６６】
システム６００は、ＵＴ６０２と第三者プロバイダ（例えば、広告主、サービスプロバイダ、クーポンプロバイダのような、移動体商用エンティティ）との間のインターフェースとしての役割を果たす、補足的なサービスモジュール（サービスモジュール）６０４を具備している。サービスモジュール６０４は、ＵＴ６０２に関係するデータ交換への第三者アクセスに対する請求レートを確立することができる。このようなデータ交換は、ＵＴ６０２に対して配信されるデータ、サービス、または、アプリケーションに依存して、さまざまな適切な形態を取ることができることを正しく認識すべきである。１つの例として、アクセスは、データ交換に関連して、ＵＴ６０２に広告６１４を配信することを伴うことがある。他の側面では、アクセスは、第三者により提供される移動体クーポン６１６を配信し、移動体クーポン６１６のワイヤレスな引き換えをオプション的に促進することを伴うことがある。さらに他の側面では、アクセスは、（例えば、インターネット支払いサービスを通して）第三者プロバイダによりＵＴ加入者に対して請求されるデータ交換と、アプリケーション６１８（例えば、マルチメディアゲーム）とを一体化することを伴うことがある。第三者データは、さまざまな適切な方法でも、ＵＴ６０２に配信することができる。例えば、データ記憶６１２から、第三者ファイル／アプリケーションを抽出し、（例えば、無線アクセスネットワーク（ＲＡＮ）ゲートウェイ（ＧＷＹ）６２０と、ＲＡＮ送信機６２２とを通して）無線でＵＴ６０２に配信することができる。代替的に、ＵＴ６０２のピア・ツー・ピアの相手に対して、無線で、ファイル／アプリケーションを配信することができる。少なくともいくつかの側面において、ネットワークサーバ（例えば、ウェブサーバ、インターネットサーバ等）からファイル／アプリケーションをダウンロードして、手動でＵＴ６０２上にロードすることができる。
【００６７】
ＵＴ６０２は、サービスモジュール６０４により提供されるサービス／アプリケーションに関係する、受信、実行、および／または、データ交換を追跡することができる。ここで説明するように、ＵＴ６０２は、安全なコンポーネントおよびＵＴ特有のデジタル証明書を利用する安全な方法で、このような受信／実行／データ交換をコンパイルして、報告することができる。ＵＴ６０２と通信可能に結合されているネットワーク（例えば、基地局６２２とＲＡＮゲートウェイ６２０とを含む移動体ネットワーク）を通して、アカウンティングサーバ６０６において報告を受信する。アカウンティングサーバ６０６は、使用報告に少なくとも部分的に基づいて、それぞれの当事者に対する（例えば、第三者に対する、加入者に対する）請求を計算することができる。したがって、サービス／アプリケーションのＵＴへの配信を、このようなサービス／アプリケーションを提供する第三者に請求することができる。代替的にまたは付加的に、サービス／アプリケーションの配信／インプリメンテーションの促進を（例えば、ワイヤレスゲームアプリケーションの促進、モバイルクーポンの配信の促進および／またはその引き換えの促進を）、ＵＴ加入者に請求することができる。
【００６８】
少なくともいくつかの側面において、サービス／アプリケーションの請求量または利用可能性は、特定の加入者のレートプラン６１０に基づくものとすることができる。レートプラン６１０は、例えば、特定の移動体レートのまたはピア・ツー・ピアのレートを確立するか、あるいは、ＵＴ６０２に第三者広告を配信することができる場合には、修正したレートを提供するかもしれない。このようなケースでは、ユーザ選択モジュール６０２Ａにより、ユーザが、第三者広告、サービス、アプリケーション等に対してオプトインすることが可能になる。いくつかの側面において、ユーザ選択モジュール６０２Ａにより、ＵＴ６０２のユーザが、マルチレベルの参加プログラムを示すことが可能になり、ここで、参加プログラムのレベルは、さまざまな請求／使用のレベルでの、第三者プロバイダ／ベンダーのアクセスの程度に対応している。したがって、特定の例として、ピア・ツー・ピアインスタンスごとに、１つの広告の配信を受けることができるが、モバイルクーポンまたは他のアプリケーションの配信は受けないことを、ユーザは特定することができる。このような特定は、第三者および／または加入者に対する、特定の段階請求レベルに対応することができる。
【００６９】
加入者がオプトインしており、オプション的に選択したマルチレベルの参加段階を持つことを示すデータをＵＴ６０２において追跡することができ、安全な使用報告中に含めることができる。いったん受信すると、サービスモジュール６０４は、データベース６０８における加入者に関係付けられている段階レートプラン中に、報告されたデータを記憶することができる。ＵＴ６０２がピア・ツー・ピアアクティビティを示す／報告するときに、後にデータベースを参照して、段階レートプラン６１０データを取得することができる。その後、段階レートプラン６１０により提供されるオプトイン特定に基づいて、特定の第三者サービス／アプリケーション６１４、６１６、６１８をＵＴ６０２に配信することができる。さらに、ネットワークプロバイダ特定にふさわしいように、段階レートプラン６１０からおよび／または配信されるサービス／アプリケーションのタイプから、サービス／アプリケーションの配信に対する適切な請求レベルを決定することができる。サービス／アプリケーションの配信や、サービス／アプリケーションに関係付けられているスペクトル使用や、または、その双方に基づいて、アカウンティングサーバ６０６により、その後、請求を行うことができる。
【００７０】
図７は、ターゲットとされた広告および他の第三者アプリケーションと、加入者帯域幅および／またはピア・ツー・ピア通話とを一体化するための最適化情報を提供する、サンプルのシステム７００のブロックダイヤグラムを示している。システム７００は、加入者にまたは加入者アカウントに関係する情報を取得し、第三者ベンダーの商用的な要件により加入者データを集約することができる。ターゲットとされたサービス／アプリケーションと、このようなサービス／アプリケーションの加入者への配信との、関連性、量、タイミング等の最適な結び付きポイントを見つけるために、集約したデータを解析する。結果として、システム７００は、ターゲットとされた広告に対する消費者応答の改善と、第三者サービスの利用の増加と、これらに類するものとを促進することができる。
【００７１】
システム７００は、ユーザ使用データ７０６とベンダー商用データ７０４とを取得して集約するサービスモジュール７０２を具備する。ベンダーデータは、加入者データ交換（例えば、ピア・ツー・ピア使用）と結合させることができる、さまざまな広告、モバイルクーポン、アプリケーション等を含むことができる。さらに、ベンダーデータ７０４は、適切である場合に、ベンダーサービスの請求、ベンダーサービスのベンダー補償、ベンダーサービスの配布および／または引き換えに関するさまざまな要件と特定とを含むことができる。さらに、データ７０４は、情況情報、ユーザ履歴使用パターン、相対的な価格付け、製造者使用特定等を含むことができる。情況情報は、年齢や、国籍や、文化や、政治的立場や、あるいは、ベンダーサービス／アプリケーションの典型的なユーザの他の個人的なまたは社会的な習性を示す人口統計データを含むことができる。使用履歴および相対的な価格付けのデータもさらに、ユーザ人口統計情報を示すことができる。このような情報を利用して、ユーザデータ７０６に基づいて、さまざまなサービス／アプリケーションに関心を持っている加入者を識別することができる。
【００７２】
ネットワークコンポーネントにより、（例えば、移動体ネットワーク促進のデータ交換に関連して）ユーザデータ７０６をコンパイルすることができ、または、ＵＴにより、（例えば、ピア・ツー・ピアのまたはネットワーク促進のデータ交換に関連して）ユーザデータ７０６をコンパイルすることができ、あるいは、その双方とすることができる。データは、ＵＴ加入者についての、さまざまな使用、情況、通話者、タイミング、または、人口統計情報を含むことができる。このようなデータを利用して、加入者の使用情況を決定することができ、加入者の使用情況は、ターゲットとされた広告に対する関心のトピック中にカテゴリー化することができる。例として、特定のユーザに関係するデータ（７０６）は、ピーク通話回数および最小通話回数のような通話パターンと、ＵＴにおいて実行されたサービスおよびアプリケーションと、使用の頻度とともに、これらのサービスおよびアプリケーションについての情況情報（例えば、メディアタイプ、ジャンル）と、ピア・ツー・ピア使用と、ピア・ツー・ピアの相手と、データサービス使用および頻度等とを含むことができる。さらに、データ（７０６）は、サーチクエリおよびサーチ結果、ユーザにより、話された、タイプされた、送信された、受信された等の単語の情況情報を含むことができる。いくつかの側面において、ユーザプライバシーがリスクにさらされるかもしれない場合に、または、（例えば、下記を参照すると、デバイス性能を最高にし、オーバーヘッド処理を最小にする等のために）より少ないデータ収集を伴うレートプランを加入者が選択した場合に、データ収集のサブセットは、ユーザ承認を受けることがある。このような例において、ユーザは、データをＵＴ上に収集すべき／すべきでない、アプリケーション、サービス、または、システムはどれなのかを、どのカテゴリーのデータを収集すべきか／すべきでないかを、いつデータを収集できるか／できないか等を識別することができる。
【００７３】
さらに、いくつかの側面において、ユーザは、どのタイプのユーザデータを収集して、集約したユーザデータ７０６に提出するかを選択するまたはフィルタリングすることができる。他の側面では、段階レートプランに基づいて、フィルタリングするデータのタイプまたは量を確立する。したがって、例えば、高額でないレートプランは、ターゲットとされた広告に対する付加的な価値と、ネットワークコストを負担するための追加の貨幣化とを提供するために、ユーザについてより多くの情報を収集することができる。より高額なレートプランでは、ネットワークコストが、部分的にまたは全体的にレートプラン中に含まれており、ユーザに関しての情報をほとんど収集できないか、または、まったく収集できない。他の側面では、先述のものを組み合わせたものを実現することができる。例えば、段階レートプランは、ユーザに関して収集するデータのベースラインの量／タイプを確立することができる。さらに、ユーザは、ユーザに対してターゲットとされた広告を改善するために、オプション的に、データのタイプのまたはデータのカテゴリーの関数で、ユーザに関してより多くのデータを収集させるようにオプトインすることができる。いくつかの側面において、ユーザは、どのベンダー／ベンダーサービスが、ユーザに関して収集した情報にアクセスすることができるか、あるいは、どのベンダー／ベンダーサービスが、ユーザにサービス／アプリケーションを配信することができるかを特定することができる。
【００７４】
サービスモジュール７０２により、ユーザデータ７０６および商用データ７０４にアクセスすることができ、ユーザデータ７０６および商用データ７０４を集約して、最適化モジュール７０８に提供することができる。最適化モジュール７０８は、データを解析して、特定のユーザに最もふさわしい／特定のユーザと互換性がある、サービス／アプリケーションを、あるいは、特定のサービス／アプリケーションに最も関心のあるユーザを識別する。関心／ふさわしさの最も高い可能性を推論するために、最適化モジュール７０８は、関心または互換性の可能性を決定あるいは推論することに関して、１組のモデル（例えば、デバイス／技術エラーモデル、ビットエラー履歴モデル、ビットレベル状態課金損失モデル等）を利用することができる。モデルは、複数の情報（例えば、使用履歴、ユーザプロファイル情報、ベンダープロファイル情報、サービス／アプリケーションプロファイル情報等）に基づくことができる。最適化モデル７０８に関係付けられている最適化ルーチンは、以前に収集したデータからトレーニングされたモデルを、新しいデータで更新された前のモデルに基づいているモデルを、モデル混合またはデータミキシング方法論を、あるいは、単に、シードデータでトレーニングされ、その後、エラー補正インスタンスの結果として修正されたパラメータに基づいて、実際のフィールドデータでトレーニングすることにより、リアルタイムに調節されたものを利用することができる。
【００７５】
加えて、最適化モジュール７０８は、（例えば、データが、ブリトニー・スピアーズおよびアメリカンアイドルへの関心を示している）ユーザの情況を適切な広告およびサービス（例えば、ブリトニーの製品、アルバム等、アメリカンアイドルのコマーシャル、スポンサー、ビデオゲーム等）に一致させることのような、最適化決定に関する決定または推論を行うことに関して、機械学習７１０および推理技法を用いることができる。例えば、最適化モジュール７０８は、関心のあるユーザに適切なベンダーサービス／アプリケーションを識別することに関して、確率論ベースのまたは統計学的ベースのアプローチを用いることができる。推論は、疑わしいビット５０４Ａのサブセットを選択することに関連して、（示されていない）分類器の明示的なトレーニングに、または、１つ以上の監視した結果５０４Ｂに少なくとも基づいている暗示的なトレーニングに、ならびに、これらに類するものに、部分的に基づくことができる。
【００７６】
最適化モジュール７０８は、ここで説明するさまざまな側面の実現にしたがって、データから学習し、その後、このように構築されたモデル（例えば、隠れマルコフモデル（ＨＭＭ）および関連するプロトタイプの依存モデルと、例えば、ベイジアンモデルスコアまたは近似を使用する構造サーチにより生成されたベイジアンネットワークと、サポートベクトル機械（ＳＶＭ）のような線形分類器と、“ニューラルネットワーク”方法論、ファジー論理方法論、データ融合を実行する他のアプローチとして呼ばれる方法のような非線形分類器等の、より一般的な確率論的図式モデル、等）から推論を引き出すための多数の方法論のうちの１つを用いることもできる。最適化モジュール７０８により用いられる方法論はまた、定理プローバーまたはヒューリスティックルールベースエキスパートシステムのような、論理的な関係の捕捉のためのメカニズムを含むこともできる。このような、学習する、または、手動で構築されるモデルから導出される推論を、線形および非線形プログラミングのような、エラーの確率を最大化することを追求する他の最適化技法において用いることができる。例えば、商用データ７０４とユーザデータ７０６との間の全体的な関心／関連性を最大化することは、このような最適化技法により達成することができる。
【００７７】
いったん、最適化モジュール７０８が、１組のユーザに対する、最も適切なサービス／アプリケーションの組を決定すると、決定は、サービスモジュール７０２に提供される。サービスモジュールはその後、ユーザの好み（例えば、サービス／アプリケーション関連性スコア、時刻、サービスの開始／完了、ピア・ツー・ピア通話、日ごとに配信されるサービス／アプリケーションの最大数／最小数等）と、製造者特定（例えば、オプション的に、ベンダー請求レベル、ユーザ関連性スコア等の関数として、日ごとに配信されるベンダーサービスの必要とされる数）とに基づいて、サービス／アプリケーションをさまざまなユーザに対して配布することができる。ユーザにより提供されるか、あるいは、ここで説明するように、収集され、安全に送信されるかのいずれかである、適切なＵＴフィードバックは、決定に対するユーザ規定の好みの、または、これに類するものの代わりになるように、決定に対する付加的なデータとしてユーザデータ７０４に対して更新することができる。上記で図６に関して説明したように、サービス／アプリケーションを配信するときに、ベンダー／加入者請求を行うことができる。
【００７８】
図８は、ここで開示するいくつかの側面にしたがった、リソース使用を安全に追跡し、報告するように構成されている、サンプルのＵＴ８０２のブロックダイヤグラム８００を示している。１つ以上の遠隔トランシーバ８０４（例えば、アクセスポイント、基地局、ピアノード）にワイヤレスに結合するように、ＵＴ８０２を構成することができる。技術的に知られているように、ＵＴ８０２は、ＦＬチャネル上でアクセスポイント（８０４）からワイヤレス信号を受信することができ、ＲＬチャネル上でワイヤレス信号により応答することができる。さらに、ＵＴ８０２は、ここで説明するように、あるいは、技術的に知られているように、遠隔ピアデバイス（８０４）とのピア・ツー・ピアのまたはアドホックのワイヤレス通信に参加することができる。上記に加えて、ここで説明するように、遠隔トランシーバ８０４とのワイヤレス通信に関連して利用されるリソースを追跡し、追跡したリソースのリソース報告をコンパイルし、報告を担当ネットワークに提出するように、ＵＴ８０２を構成することができる。
【００７９】
移動体端末８０２は、信号（例えば、ワイヤレスメッセージ）を受信する少なくとも１つのアンテナ８０６（例えば、送信受信機、または、このような受信機のグループは入力インターフェースを構成する）と、受信機８０８とを具備し、受信機８０８は、受信した信号上で、典型的なアクション（例えば、フィルタリング、増幅、ダウンコンバージョン等）を実行する。一般に、遠隔トランシーバ８０４とのワイヤレスデータ交換を促進するように、（総称してトランシーバとして呼ばれる）アンテナ８０６および送信機８２６を構成することができる。
【００８０】
アンテナ８０６および受信機８０８は、受信したシンボルを復調し、評価のためにそれらを処理回路８１４に提供できる復調器８１０とも結合することができる。処理回路８１４は、ＵＴ８０２の１つ以上のコンポーネント（８０５、８０８、８１０、８１４、８１６、８２４、８２８）を制御および／または参照できることを正しく認識すべきである。さらに、処理回路８１４は、１つ以上のモジュールや、アプリケーションや、エンジンや、あるいは、移動体端末８０２の機能を実行することに関係する情報または制御を含むこれらに類するもの（８１２、８２４）を実行することができる。例えば、バイオメトリックユーザデータを取得して、ユーザ識別子を検証する。加えて、処理回路８１４は、ここで説明するように、安全なインターフェース８１２をトリガして、ＵＴ８０２に対するリソース利用を追跡すること、リソース利用記録をコンパイルすること、または、ＵＴ８０２に特有のプライベート鍵によってリソース使用記録にデジタル的に署名することのような、さまざまなセキュリティ保護のまたは改ざん防止の機能を実現することができる。
【００８１】
移動体端末８０２は、処理回路８１４に動作可能に結合されているメモリ８１６を付加的に備えることができる。メモリ８１６は、送信されることになるデータ、受信されることになるデータ、および、これらに類するものと、遠隔デバイス（８０４）とのワイヤレス通信を行うのに適した命令とを記憶することができる。さらに、メモリ８１６は、上記のように、処理回路８１４により実行されるモジュール、アプリケーション、エンジン等（８１２、８２４）のための動作ファイルまたはデータを記憶することができる。
【００８２】
開示の少なくともいくつかの側面では、ＵＴ８０２は、アカウンティングモジュール８１８に対する、追跡モジュール８２０に対する、または、安全な記憶装置８２２に対するアクセスを防止するまたは軽減する、安全なインターフェース８１２を具備することができる。安全なインターフェース８１２は、安全なインターフェース８１２により保護されているＵＴ８０２のコンポーネントとの通信を検証する、改ざん防止モジュールとすることができる。いくつかの側面にしたがうと、安全なインターフェース８１２は、追跡モジュール８２０により管理されているリソース利用データに対するアクセス、アカウンティングモジュール８１８によりコンパイルされたこのような利用データの進行中のリソース使用報告に対するアクセス、このような報告をコンパイルするための命令、コード、または、機能に対するアクセス、あるいは、安全な記憶装置８２２中に記憶されている（例えば、ＵＴ８０２の製造時に焼かれた）ＵＴ８０２に特有のデジタル証明書に関係付けられているプライベート鍵に対するアクセスを、特に制限することができる。
【００８３】
ＵＴ８０２は、ここで説明するように、追跡モジュール８２０により監視されているリソース利用から、リソース使用報告をコンパイルするアカウンティングモジュール８１８を具備する。リソース追跡と報告のコンパイルとは、安全なインターフェース８１２に関係付けられている（示されていない）安全な処理によって実現することができる。いったん、リソース使用報告をコンパイルすると、アカウンティングモジュール８１８は、安全な記憶装置８２２において維持されているＵＴ８０２のプライベート鍵により、コンパイルした報告にデジタル的に署名することができる。いったんデジタル的に署名すると、変調器８２６および送信機８２８を通してのワイヤレス送信のために、安全なインターフェース８１２を通して、処理回路８１４に使用報告を出力することができる。例えば、送信機８２８を用いて、デジタル的に署名された使用報告を移動体ネットワーク（８０４）に対して、直接的または間接的に（例えば、ピアノードを経由して）提出することができる。
【００８４】
アカウンティングモジュール８１８によりコンパイルされたリソース使用報告は、実質的に、ここで説明するもの、または、技術的に知られているものとすることができる。いくつかの側面では、アカウンティングモジュール８１８はさらに、遠隔トランシーバ８０４（例えば、遠隔トランシーバ８０４は、リレーまたは通信の相手のような、別のユーザ端末である）に特定のデジタル署名により署名された、ＵＴ８０２と遠隔トランシーバ８０４との間のデータ交換のデジタル的に署名されたサマリーを、遠隔トランシーバ８０４から取得することができる。デジタル的に署名されたサマリー８０４は、報告中で特定されている追跡したリソースデータの付加的な検証として、リソース使用報告中に含めることができる。
【００８５】
少なくとも１つの付加的な側面にしたがうと、ＵＴ８０２は、ＵＴ８０２のユーザの識別子を検証するために利用することができるバイオメトリックスキャンモジュール８２４を具備している。バイオメトリックスキャナー８２４は、例えば、指紋または親指の指紋のスキャナー、音声認識モジュール、網膜スキャナー、または、バイオメトリック識別デバイスと同様のモジュールを含むことができる。メモリ８１６中に（または、例えば、安全な記憶装置８２２中に）記憶されているユーザのバイオメトリックデータに対して参照するために、バイオメトリックスキャナー８２４から取得したバイオメトリックデータ（例えば、指紋／親指の指紋スキャン、音声データ、網膜スキャンデータ等）を処理回路８１４に提供することができる。いくつかの側面では、ＵＴ８０２のいくつかのあるいはすべての機能、アプリケーション、またはリソースに対するアクセスは、メモリ（８１６または８２２）中に記憶されているユーザデータと一致するバイオメトリックデータ上で条件付けることができる。オプション的に、スキャンしたおよび／または記憶しているバイオメトリックデータを少なくとも部分的に利用して、アカウンティングモジュール８１８によりコンパイルされたリソース使用記録にデジタル的に署名することができる（例えば、デバイスユーザに特有の、端末８０２に対するプライベート鍵を発生させる際に、または、デバイス／ユーザに対する暗号化鍵を発生させる際に、あるいは、これらに類することの際に、バイオメトリックデータを用いることができる）。
【００８６】
いくつかのコンポーネント、モジュール、および／または、通信インターフェースの間の対話に関して、前述のシステムを説明してきた。このようなシステムおよびコンポーネント／モジュール／インターフェースは、ここで特定されている、これらのコンポーネントまたはサブコンポーネント、特定されているコンポーネントまたはサブコンポーネントのうちのいくつか、ならびに／あるいは、付加的なコンポーネントを含むことができることを正しく認識すべきである。例えば、システムは、それぞれが、安全なインターフェース８１２およびアカウンティングサーバ５００を備える、ＵＴ−Ａ３０２、ＵＴ−Ｂ３０４を、あるいは、これらのコンポーネントと他のコンポーネントの異なる組み合わせを含んでいる。サブコンポーネントは、親のコンポーネント内に含まれているというよりむしろ、他のコンポーネントに通信可能に結合されているコンポーネントとして、実現することもできる。さらに、１つ以上のコンポーネントを組み合わせて、集約した機能性を提供する単一のコンポーネントにすることができることに留意すべきである。例えば、追跡モジュール８２０は、単一のコンポーネントにより、リソース利用データを追跡することと、このようなデータのリソース使用報告をコンパイルすることとを促進するために、アカウンティングモジュール８１８を備えることができ、逆もまた同じである。コンポーネントはまた、ここでは特に説明していないが、当業者により知られている１つ以上の他のコンポーネントと対話することができる。
【００８７】
さらに、正しく認識されるように、上記で開示したシステムと下記で開示する方法のさまざまな部分は、人工知能または知識ベースまたはルールベースのコンポーネント、サブコンポーネント、プロセス、手段、方法論、あるいは、メカニズム（例えば、サポートベクトル機械、ニューラルネットワーク、エキスパートシステム、ベイジアンビリーフネットワーク、ファジー論理、データ融合エンジン、分類器．．．）を含んでいてもよく、あるいは、これらから構成されていてもよい。ここで既に説明したものに加えて、とりわけ、このようなコンポーネントは、実行されるあるメカニズムまたはプロセスを自動化し、それにより、システムおよび方法の一部を、より適応性があり、効率が良く、インテリジェンスなものにさせることができる。
【００８８】
上記で説明した例示的なシステムを考慮すると、開示している主題的事項にしたがって実現することができる方法論は、図９〜図１２のフローチャートを参照して、より正しく認識されるだろう。説明を簡潔にする目的のために、方法論は、一連のブロックとして示され、説明されているが、いくつかのブロックは、ここで示され、説明されているものとは異なる順序で、および／または、ここで示され、説明されているものと同時に他のブロックとともに起こることがあるので、特許請求されている主題事項は、ブロックの順序によって限定されないことを理解し、正しく認識すべきである。さらに、ここから後で説明する方法論を実現するために、示されているすべてのブロックが必要とされるわけではない。さらに、ここから後で開示する方法論およびこの明細書全体を通して開示する方法論は、このような方法論をコンピュータに移すおよび移送することを促進するために、製造物上に記憶させることが可能であることをさらに正しく認識すべきである。使用するような、用語製造物は、何らかのコンピュータ読取可能デバイス、搬送波または記憶の媒体に関連するデバイスから、アクセス可能なコンピュータプログラムを含むように意図している。
【００８９】
図９は、端末デバイスにおいて安全なリソース報告を促進するための例示的な方法論９００のフローチャートを示している。９０２において、方法９００は、ＵＴから、報告されたリソース使用を取得することができる。報告されたリソース使用は、端末特有のデジタル署名により証明することができる。加えて、報告されたリソース使用は、ＵＴにより行われたワイヤレスデータ交換に関係する情報を含むことができる。端末特有のデジタル署名による証明書を利用して、情報の真正性を検証するとともに、ワイヤレスデータ交換を行ったＵＴの識別子を検証することができる。いくつかの側面では、報告されたリソース使用は、ＵＴのＩＤや、ＵＴにおいて情報が収集された時間期間や、ワイヤレスデータ交換の間に交換された、データパケットの数またはバイトの数や、ピアノードのＩＤまたはワイヤレスデータ交換に対する他の参加者のＩＤや、データ交換に関係付けられているＱｏＳのレベルや、あるいは、これらのまたは同様の情報の組み合わせを特定することができる。少なくとも１つの側面において、ここで説明するように、報告されたリソース使用は、少なくとも１つのピアノードに関係付けられているデータ交換のサマリーをさらに含むことができ、サマリーは、ピアノードのデジタル署名により証明されている。
【００９０】
９０４において、方法９００は、ＵＴから取得した、報告されたリソース使用を有効性確認することができる。有効性確認は、端末特有のデジタル署名に関係付けられている公開鍵を、例えば、データベースから、あるいは、公開鍵を所有している端末からの直接的な通信から、取得することを含むことができる。加えて、デジタル署名を検証するために、（例えば、暗号化または解読アルゴリズムにしたがって）報告されたリソース使用により提供されるデータと、公開鍵とを組み合わせることができる。デジタル署名検証は、報告されたリソース使用が有効であることを示す。９０６において、方法９００は、使用報告の取得に応答して、使用報告の有効性確認に応答して、使用報告に基づく請求報告の発生に応答して、あるいは、これらの組み合わせで、使用報告の確認通知をオプション的に提出することができる。さらに、ネットワークサーバ（例えば、リソースアカウンティングサーバ）により、使用報告にデジタル的に署名することができる。説明するように、方法９００により、ワイヤレスリソース（例えば、ライセンスされているスペクトルチャネル、メディアアプリケーション、送られた／受信された／消費されたデータ等）のデバイス開始の追跡と、このようなリソースを安全にコンパイルして提出することとが可能になる。したがって、デバイスエラー、ユーザエラー、認可されていないデータ操作、データの破損、および／または、ＵＴ成りすましを、方法９００により軽減または回避することができる。
【００９１】
図１０は、１つ以上のＵＴからリソース利用報告を取得し、検証するための、サンプルの方法論１０００のフローチャートを示している。１００２において、方法１０００は、ＵＴにより行われたピア・ツー・ピアワイヤレスデータ交換に関係するリソース使用報告に対して、ＵＴをポーリングすることができる。オプション的に、報告に対する更新を、周期的に取得することができる。１００４において、方法１０００は、ここで説明するように、使用報告中に含まれているＵＴの端末特有のデジタル署名を解析することにより、リソース使用報告を有効性確認することができる。１００６において、方法１０００は、報告から使用データを抽出することができる。少なくとも１つの側面において、使用データは、ピア・ツー・ピアワイヤレスデータ交換に少なくとも部分的に参加しているピアノードのＩＤを含むことができる。使用データは、ピア・ツー・ピアデータ交換の持続時間や、交換されたバイト／データパケットの数や、利用されたサービス（例えば、ストリーミングビデオサービス、ストリーミングオーディオサービス等）や、データ交換に対するＱｏＳレベルや、または、これらに類するものを提供することができる。１００８において、方法１０００は、リソース利用報告から抽出した使用データ中に含まれているピアノードのＩＤに基づいて、ピアノードのリソース使用報告を相互参照することができる。いくつかの側面では、ピアノードの端末特有のデジタル署名により、ピアノードの使用報告にデジタル的に署名することができる。ＵＴの端末特有のデジタル署名と類似する方法で、ピアノードの端末特有のデジタル署名に基づいて、ピアノードの使用報告を検証することができる。１０１０において、方法１０００は、リソース使用報告中の証明されている使用、ピアノードの使用報告、または、その双方に少なくとも部分的に基づいて、ＵＴに対するおよび／またはピアノードに対する請求報告を提出することができる。
【００９２】
図１１は、ワイヤレス通信中で利用されるリソースを安全に追跡し、報告するための例示的な方法論１１００のフローチャートを示している。１１０２において、方法１１００は、ワイヤレスデータ交換に関連して、１組のリソースを利用することができる。１組のリソースは、ライセンスされているスペクトルのような、ワイヤレス通信チャネルの帯域幅を含むことができる。他の側面において、１組のリソースは、ワイヤレスデータ交換に関係がある１つ以上の遠隔デバイスと交換したデータを含むことができる。さらなる側面において、１組のリソースは、ワイヤレスデータ交換に対して用いられる、メディアの、通信の、ならびに／あるいは、セキュリティのアプリケーションや、ワイヤレスデータ交換に関係付けられているＱｏＳのレベルや、または、これらに類するものを含むことができる。１１０４において、方法１１００は、リソース使用の報告を送信することができ、報告は、ＵＴ特有のデジタル署名により証明されている。さらに、リソース使用の報告は、ここで説明するように、ワイヤレスデータ交換に関係する情報を含むことができる。１１０６において、方法１１００は、使用報告の受信の確認通知を、ネットワークサーバからオプション的に取得することができる。さらなるオプションとして、ネットワークサーバにより、受信の確認通知にデジタル的に署名することができ、または、安全な（暗号化された）通信リンクを通して、受信の確認通知を送ることができる。
【００９３】
図１２は、開示の少なくとも１つの側面にしたがった、アドホック通信の安全な報告のための例示的な方法論１２００のフローチャートを示している。１２０２において、方法１２００は、ここで説明するように、ワイヤレスデータ交換に関連して、１組のリソースを利用することができる。１２０４において、方法１２００は、ワイヤレスデータ交換の一部として送られた、受信された、および／または、消費されたデータを、安全なデバイスコンポーネントにおいて、追跡することができ、あるいは、ログ記録することができる。１２０６において、方法１２００は、ＵＴ特有のデジタル署名により、データの使用報告にデジタル的に署名することができる。１２０８において、方法１２００は、ピアノードと結合して、リソースの利用を促進することができる。ピアノードとの結合は、（例えば、リレーとして働く）ピアノードに対するリソースの使用を促進することや、ピアノードにより促進されたリソースに関係付けられているデータを消費することや、あるいは、ピアノードとの通信においてリソースを利用することを含むことができる。１２１０において、方法１２００は、リソースの使用のデータサマリーにデジタル的に署名し、署名したサマリーをピアノードに送ることができる。１２１２において、方法１２００は、ピアノードにより発生され、ピアノードのデジタル署名により証明されているデータサマリーのバージョンを取得することができる。１２１４において、方法１２００は、参照番号１２０６においてデジタル的に署名した使用報告中に、ピアノードにより発生されたデータサマリーのバージョンを含めることができる。１２１６において、方法１２００は、リソースの利用のアカウントの報告を促進するために、ネットワークサーバに使用報告を送ることができる。
【００９４】
図１３は、ここで開示しているいくつかの側面にしたがった、アドホックワイヤレス通信を促進することができる例示的なシステム１３００のブロックダイヤグラムを示している。ワイヤレス端末１３０５において取得する、同期化タイミング信号のタイミングシーケンスに基づいて（例えば、上記の図２参照）、送信（ＴＸ）データプロセッサ１３１０は、トラフィックデータを受信し、フォーマットし、コード化し、インターリーブし、および、変調（またはシンボルマッピング）し、変調シンボル（“データシンボル”）を提供する。シンボル変調器１３１５は、データシンボルとパイロットシンボルを受信して処理し、シンボルのストリームを提供する。シンボル変調器１３２０は、データシンボルとパイロットシンボルを多重化して、それらを送信機ユニット（ＴＭＴＲ）１３２０に提供する。各送信シンボルは、データシンボル、パイロットシンボル、または、ゼロの信号値とすることができる。
【００９５】
ＴＭＴＲ１３２０は、シンボルのストリームを受け取って、１つ以上のアナログ信号にコンバートし、さらに、アナログ信号を調整して（例えば、増幅して、フィルタリングして、および、周波数アップコンバートして）、ワイヤレスチャネルを通しての送信に適した送信信号を発生させる。送信信号は、その後、アンテナ１３２５を通して遠隔端末または他のピア・ツー・ピアの相手に送信される。ワイヤレス端末１３３０において、同様に同期化信号のタイミングシーケンスに基づいて、アンテナ１３３５は、ＴＭＴＲ１３２０により送られた送信信号を受信し、受信した信号を受信機ユニット（ＲＣＶＲ）１３４０に提供する。受信機ユニット１３４０は、受信した信号を調整し（例えば、フィルタリングして、増幅し、および、周波数ダウンコンバートし）、調整した信号をデジタル化して、サンプルを取得する。シンボル復調器１３４５は、受信したパイロットシンボルを復調して、チャネル推定のためにプロセッサ１３５０に提供する。シンボル復調器１３４５は、さらに、ダウンリンクに対する周波数応答推定をプロセッサ１３５０から受け取り、受け取ったデータシンボル上でデータ復調を実行して、（送信されたデータシンボルの推定である）データシンボル推定を取得し、データシンボル推定をＲＸデータプロセッサ１３５５に提供する。ＲＸデータプロセッサ１３５５は、データシンボル推定を復調して（すなわち、シンボルデマッピングして）、デインターリーブして、および、デコードして、送信されたトラフィックデータを復元する。シンボル復調器１３４５とＲＸデータプロセッサ１３５５とによる処理は、それぞれ、ワイヤレス端末１３０５における、シンボル変調器１３１５とＴＸデータプロセッサ１３１０とによる処理と相補的である。
【００９６】
ワイヤレス端末１３３０において、ＴＸデータプロセッサ１３６０は、トラフィックデータを処理して、データシンボルを提供する。シンボル変調器１３６５は、データシンボルを受け取り、パイロットシンボルと多重化し、変調を実行して、シンボルのストリームを提供する。送信機ユニット１３７０は、その後、シンボルのストリームを受け取って処理して、信号を発生させ、信号は、アンテナ１３３５によりワイヤレス端末１３０５に送信される。
【００９７】
ワイヤレス端末１３０５において、端末１３３０からのアップリンク信号を、アンテナ１３２５により受信し、受信機ユニット１３７５により処理して、サンプルを取得する。システム復調器１３８０は、その後、サンプルを処理して、受信したパイロットシンボルと、通信チャネルに対するデータシンボル推定とを提供する。ＲＸデータプロセッサ１３８５は、データシンボル推定を処理して、端末１３３０により送信されたトラフィックデータを復元する。プロセッサ１３９０は、通信チャネル上で送信する各アクティブピア・ツー・ピアの相手に対するチャネル推定を実行する。複数の端末は、ピア・ツー・ピアチャネル上で、または、それらのそれぞれのピア・ツー・ピアチャネルサブバンドの組上で、同時にパイロットを送信することができ、ここで、ピア・ツー・ピアチャネルサブバンドの組をインターレースすることができる。
【００９８】
プロセッサ１３９０とプロセッサ１３５０は、端末１３５０における動作と端末１３３０における動作をそれぞれ指示する（例えば、制御する、調整する、管理する等）。それぞれのプロセッサ１３９０およびプロセッサ１３５０は、プログラムコードおよびデータを記憶する（示されていない）メモリユニットに関係付けることができる。プロセッサ１３９０およびプロセッサ１３５０はまた、通信チャネルに対する周波数応答推定とインパルス応答推定をそれぞれ導出するための計算を実行することができる。
【００９９】
ここで説明する技法は、さまざまな手段により実現することができる。例えば、これらの技法は、ハードウェアで、ソフトウェアで、または、これらの組み合わせで実現することができる。デジタル、アナログ、または、デジタルとアナログの双方とすることができる、ハードウェアインプリメンテーションのために、チャネル推定に対して使用される処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、制御装置、マイクロ制御装置、マイクロプロセッサ、ここで説明した機能を実行するように設計されている他の電子ユニット、あるいは、これらを組み合わせたものの内で実現することができる。ソフトウェアでは、インプリメンテーションは、ここで説明した機能を実行するモジュール（例えば、手順、関数等）によるものとすることができる。ソフトウェアコードは、メモリユニット中に記憶し、プロセッサ１３９０およびプロセッサ１３５０により実行することができる。
【０１００】
図１４は、ここで開示する１つ以上の側面にしたがった、ＵＴにより提出されたリソース使用データを検証する、サンプルのシステム１４００のブロックダイヤグラムを示している。システム１４００は、ＵＴにより提出された、報告されたリソース使用を取得する手段１４０２を具備することができる。手段１４０２により、ＵＴから直接（例えば、ＵＴとのワイヤードリンクおよび／またはワイヤレスリンクを用いて）、あるいは、ＵＴから間接的に（例えば、ＵＴに対するリレーとして働いている、あるいは、ＵＴに対する報告されるリソース使用を発生させて提出する、基地局からまたは１つ以上の他のＵＴから）、報告されたリソース使用を取得することができる。加えて、ＵＴに特有のデジタル署名により、報告されたリソース使用は証明することができる。システム１４００は、さらに、報告された使用を有効性確認する手段１４０４を具備することができる。ここで提供される文脈として、デジタル署名に関係付けられている公開鍵、または、同様のメカニズムを利用して、有効性確認を達成することができる。
【０１０１】
図１５は、さらなる側面にしたがった、ワイヤレスリソース使用を安全に追跡し、報告する例示的なシステム１５００のブロックダイヤグラムを示している。システム１５００は、ここで説明するように、ワイヤレスデータ交換に関連して、１組のリソースを利用する手段１５０２を具備することができる。手段１５０２は、例えば、処理回路と、メモリと、トランシーバと、ワイヤレスデータ交換を行うための命令とを用いることができる。加えて、利用されたリソースの結果としてコンパイルされた情報へのアクセスを限定するように、手段１５０２をセキュリティ保護することができる。さらに、システム１５００は、リソース使用の報告を送信する手段１５０４を具備することができる。システム１５００に関係付けられているＵＴ特有のデジタル署名により、報告を証明することができる。いくつかの側面にしたがうと、報告は、システム１５００に関係付けられているＵＴにより利用されたリソースを量子化した情報を含むことができる。さらに、ＵＴ特有のデジタル署名は、安全なメモリ中に維持することができ、これは、改ざんを、コピーを、あるいはそうでなければ、デジタル署名の認可されていない修正を軽減する。したがって、システム１５００は、ここで説明するように、利用されたリソースの使用報告を追跡し、コンパイルする、安全なプラットフォームを提供することができる。
【０１０２】
上記で説明してきたことは、特許請求されている主題事項の側面の例を含んでいる。もちろん、特許請求されている主題事項を説明する目的のために、コンポーネントまたは方法論のすべての考えられる組み合わせを説明することは不可能であるが、当業者は、開示した主題事項の多くのさらなる組み合わせおよび置換が可能であることを認識してもよい。したがって、開示した主題事項は、添付の特許請求の範囲の精神および範囲内にあるすべてのこのような変更、修正およびバリエーションを含むことを意図している。さらに、“含む”、“有する”、または、“有している”という用語が詳細な説明または特許請求の範囲のいずれかで使用される限り、このような用語は、請求項中で移行語として用いられるときに“具備する”が解釈されるように、用語“具備する”にある意味類似して包括的であることが意図されている。
以下に、本願出願の当初の特許請求の範囲に記載された発明を付記する。
［１］ワイヤレス通信に対するアカウンティングの方法において、
ユーザ端末（ＵＴ）により提出された、報告されたリソース使用を受信することと、
前記報告された使用を有効性確認することとを含み、
前記報告された使用は、端末特有のデジタル署名により証明されている方法。
［２］前記報告された使用を有効性確認することが、
デジタル証明書の証明機関（ＣＡ）署名を有効性確認することにより、前記端末特有のデジタル署名に関係付けられているデジタル証明書の有効性を検証すること、
前記デジタル証明書から取得した公開鍵により、前記端末特有のデジタル署名を検証すること、または、
前記ＵＴと認可されているネットワークエンティティとに利用可能な共有秘密鍵により、前記報告されたリソース使用をデジタル的に認証することをさらに含む［１］に記載の方法。
［３］送ったまたは受信したパケットの数や、
送ったまたは受信したバイトの数や、
前記ＵＴにより送られたまたは受信されたデータの受信者あるいは発信者や、
ワイヤレス通信の時間や、
ワイヤレス通信の持続時間や、または、
高められたサービス品質（ＱｏＳ）メカニズムの起動もしくは持続時間や、あるいは、それらの組み合わせのうちの少なくとも１つを、前記報告された使用から識別することをさらに含む［１］に記載の方法。
［４］前記報告された使用により、前記ＵＴの識別子を取得することと、
前記識別子が、前記端末特有のデジタル証明書に関係付けられていることを検証することと、
報告された使用データと前記公開鍵とを用いて、前記端末特有のデジタル署名の正確さを検証することとをさらに含む［１］に記載の方法。
［５］前記報告された使用について前記ＵＴをポーリングすること、または、
前記ＵＴから、前記報告されたリソース使用を周期的に受信することのうちの少なくとも１つをさらに含む［１］に記載の方法。
［６］ピアノードに関係する前記報告された使用のサブセットを識別することをさらに含む［１］に記載の方法。
［７］前記ピアノードの端末特有のデジタル署名により、前記報告された使用が証明される［６］に記載の方法。
［８］前記ＵＴとピアノードとの間のデータ交換を示す付加的なリソース使用報告を取得することと、
前記付加的なリソース使用報告に基づいて、前記データ交換を定量化することと、
前記定量化したデータ交換と、前記報告された使用から取得した関連する分量とを比較することとをさらに含む［１］に記載の方法。
［９］前記報告された使用を有効性確認することが、前記比較の結果を解析することをさらに含む［８］に記載の方法。
［１０］前記ＵＴにより用いられた高められたＱｏＳや、
リソースの使用不足や、または、
前記ＵＴに対する標準以下のＱｏＳのうちの少なくとも１つを、前記報告された使用から識別することをさらに含む［１］に記載の方法。
［１１］前記報告された使用に対するアカウント請求を調整するために、前記高められたＱｏＳ、前記リソースの使用不足、または、前記標準以下のＱｏＳを報告することをさらに含む［１０］に記載の方法。
［１２］ワイヤレス通信に対するアカウンティングを提供する装置おいて、
ＵＴにより提出された、報告されたリソース使用を取得する通信インターフェースと、
前記報告された使用を有効性確認する処理回路とを具備し、
前記報告された使用は、端末特有のデジタル署名により証明されている装置。
［１３］前記処理回路が、
デジタル証明書上のＣＡ署名を有効性確認することにより、前記端末特有のデジタル署名に関係付けられているデジタル証明書の有効性を検証すること、
前記デジタル証明書から取得した公開鍵により、前記端末特有のデジタル署名を検証すること、または、
前記端末と認可されているネットワークエンティティとにおいて記憶されている共有秘密鍵により、前記端末特有のデジタル署名を認証することにより、
前記証明されている報告された使用の真正性を検証する［１２］に記載の装置。
［１４］送ったまたは受信したパケットの数や、
送ったまたは受信したバイトの数や、
前記ＵＴにより送られたまたは受信されたデータの受信者あるいは発信者や、
ワイヤレス通信の時間や、
ワイヤレス通信の持続時間や、または、
高められたＱｏＳメカニズムの起動もしくは持続時間や、あるいは、それらの組み合わせのうちの少なくとも１つを、前記報告された使用から抽出するデータパーサをさらに具備する［１２］に記載の装置。
［１５］前記データパーサにより抽出した情報に基づいて、前記ＵＴに対する使用報告を提出する報告モジュールをさらに具備する［１４］に記載の装置。
［１６］前記データパーサがさらに、前記報告された使用から、標準以下のＱｏＳまたはリソース使用不足を抽出し、標準以下のＱｏＳまたはリソース使用不足は、前記報告モジュールにより、前記使用報告とともに提出される［１５］に記載の装置。
［１７］認可されているＵＴのリストと、関係付けられている識別子と、関係付けられている公開鍵とを記憶するメモリをさらに具備し、前記処理回路が、
前記報告された使用から、前記ＵＴの識別子を取得し、
前記識別子を用いて、前記メモリ中に記憶されている、前記ＵＴに関係付けられている公開鍵を取得し、
前記公開鍵と前記報告された使用中に含まれている前記使用データとを用いて、前記端末特有のデジタル署名の正確さを検証する［１２］に記載の装置。
［１８］前記報告された使用について前記ＵＴをポーリングする捕捉モジュール、または、
前記報告されたリソース使用に対して、受信した通信を周期的にスキャンするタイミングモジュールのうちの少なくとも１つをさらに具備する［１２］に記載の装置。
［１９］前記処理回路が、前記報告された使用のサブセットから、前記ＵＴのピアノードに関係するリソース使用を取得する［１２］に記載の装置。
［２０］前記ピアノードの端末特有のデジタル署名により、前記報告された使用が証明される［１９］に記載の装置。
［２１］前記通信インターフェースが、前記ＵＴとピアノードとの間のデータ交換を示す付加的なリソース使用報告を取得し、
データパーサが、前記付加的なリソース使用報告に基づいて、前記データ交換を定量化し、
前記処理回路が、前記定量化したデータ交換と、前記報告された使用から取得した関連する分量とを比較する［１２］に記載の装置。
［２２］前記処理回路が、前記比較の結果に少なくとも部分的に基づいて、前記報告された使用を有効性確認する［２１］に記載の装置。
［２３］ワイヤレス通信に対してアカウントする装置において、
ＵＴにより提出された、報告されたリソース使用を取得する手段と、
前記報告された使用を有効性確認する手段とを具備し、
前記報告された使用は、端末特有のデジタル署名により証明されている装置。
［２４］ワイヤレス通信に対してアカウントするように構成されているプロセッサにおいて、
ＵＴにより提出された、報告されたリソース使用を取得する第１のモジュールと、
前記報告された使用を有効性確認する第２のモジュールとを具備し、
前記報告された使用は、端末特有のデジタル署名により証明されているプロセッサ。
［２５］コンピュータ読取可能媒体を具備するコンピュータプログラムプロダクトにおいて、
前記コンピュータ読取可能媒体が、
コンピュータに、ＵＴにより提出された、報告されたリソース使用を取得させるための第１の組のコードと、
前記コンピュータに、前記報告された使用を有効性確認させるための第２の組のコードとを含み、
前記報告された使用は、端末特有のデジタル署名により証明されているコンピュータプログラムプロダクト。
［２６］遠隔通信に対するアカウンティングの方法において、
ワイヤレスデータ交換に関連して、１組のリソースを利用することと、
リソース使用の報告を送信することとを含み、
前記報告は、ＵＴ特有のデジタル署名により証明されている方法。
［２７］前記１組のリソースの使用をログ記録することと、前記使用ログのサブセットを前記報告中に含めることとをさらに含む［２６］に記載の方法。
［２８］前記１組のリソースに関係するデータを、送ること、受信すること、または、消費することと、前記データの量を前記報告中に含めることとをさらに含む［２６］に記載の方法。
［２９］前記１組のリソースに対して、送った、受信した、または、消費したパケットの数や、
前記リソースに対して、送った、受信した、または、消費したバイトの数や、
前記リソースにより提供されたデータを消費するＵＴのＩＤや、
前記リソースの利用を促進するピアノードのＩＤや、
前記リソースを開始するまたは終了する時間や、
前記リソースの利用の持続時間や、
前記ＵＴ特有のデジタル証明書に関係付けられている公開鍵や、あるいは、
前記リソースに関係付けられているＱｏＳレベルのうちの少なくとも１つを、前記報告中で特定することをさらに含む［２６］に記載の方法。
［３０］安全なインターフェース、安全な処理モジュール、または、安全なメモリを用いて、前記報告を追跡し、コンパイルし、または、デジタル的に署名することをさらに含む［２６］に記載の方法。
［３１］前記安全な処理モジュールまたは前記安全なメモリに対するアクセスを防ぐこと、あるいは、
前記報告が、前記デジタル署名により証明されていなかった場合に、前記安全なインターフェースまたは前記安全なメモリからの前記報告の出力を防ぐことのうちの少なくとも１つをさらに含む［３０］に記載の方法。
［３２］前記１組のリソースを利用することに関連して、ピアノードと結合することと、前記報告中で前記ピアノードを識別することとをさらに含む［２６］に記載の方法。
［３３］前記ピアノードのデジタル署名により証明されている、前記リソースの使用サマリーを取得すること、または、
前記ＵＴ特有のデジタル署名により、リソース利用サマリーを証明し、前記証明したサマリーを前記ピアノードに提出することのうちの少なくとも１つをさらに含む［３２］に記載の方法。
［３４］前記報告がさらに、前記１組のリソースの利用に関係するピアノードのデジタル署名により、少なくとも部分的に証明されている［２６］に記載の方法。
［３５］前記ＵＴのユーザのバイオメトリック識別子を取得することと、
前記バイオメトリック識別子に基づいて、前記１組のリソースに対するアクセスを許可するまたは拒否することとをさらに含む［２６］に記載の方法。
［３６］前記リソースに対するアクセスを許可することに関連して、前記報告とともに前記バイオメトリック識別子を提出することをさらに含む［３５］に記載の方法。
［３７］遠隔通信に対してアカウントするように構成されているユーザ端末（ＵＴ）において、
ワイヤレスデータ交換に関連して、１組のリソースを利用する処理回路と、
リソース使用の報告をコンパイルして送信するアカウンティングモジュールと、
ＵＴ特有のデジタル署名に関係付けられているデジタル証明書を記憶するメモリとを具備し、
前記報告は、前記ＵＴ特有のデジタル署名により証明されているＵＴ。
［３８］前記１組のリソースの使用をログ記録し、前記使用ログのサブセットを前記報告中に含めることを行うデータ追跡モジュールをさらに具備する［３７］に記載のＵＴ。
［３９］前記処理回路が、前記１組のリソースに関係するデータを消費するか、または、第２のＵＴに対するこのようなデータの消費を促進し、
前記アカウンティングモジュールが、前記消費したデータの量を前記報告中に含める［３７］に記載のＵＴ。
［４０］送った、受信した、または、消費したパケットの数や、
送った、受信した、または、消費したバイトの数や、
前記ＵＴのＩＤや、
前記リソースの利用に参加しているピアノードのＩＤや、
前記リソースを開始するまたは終了する時間や、
前記リソースの利用の持続時間や、
前記ＵＴ特有のデジタル証明書に関係付けられている公開鍵や、あるいは、
前記リソースに関係付けられているＱｏＳレベルのうちの少なくとも１つを、前記アカウンティングモジュールが、前記報告中で特定する［３７］に記載のＵＴ。
［４１］前記処理回路、前記メモリ、または、前記アカウンティングモジュールに対するアクセスを防ぐまたは軽減する安全なインターフェースをさらに具備する［３７］に記載のＵＴ。
［４２］前記安全なインターフェースが、前記デジタル署名により前記報告が証明されるまで、前記アカウンティングモジュールからの前記報告の送信を防ぐ［４１］に記載のＵＴ。
［４３］前記処理回路が、ワイヤレス通信インターフェースを用いて、前記リソースを利用することに関連して、ピアノードと通信可能に結合し、
前記アカウンティングモジュールが、前記報告中で、前記ピアノードを、ならびに、前記ＵＴと前記ピアノードとの間で交換されたデータパケットまたはバイトの数を識別する［３７］に記載のＵＴ。
［４４］前記処理回路が、前記ピアノードのデジタル署名により証明されている、前記リソースの使用サマリーを取得するか、または、
前記アカウンティングモジュールが、前記ＵＴ特有のデジタル署名により、リソース利用サマリーを証明し、前記証明したサマリーを前記ピアノードに提出するかのうちの少なくとも１つである［４３］に記載のＵＴ。
［４５］前記報告がさらに、前記リソースの利用に関係するピアノードのデジタル署名により、少なくとも部分的に証明されている［３７］に記載のＵＴ。
［４６］前記ＵＴのユーザのバイオメトリック識別子を取得するバイオメトリックスキャナーをさらに具備し、
前記処理回路が、前記バイオメトリック識別子に基づいて、前記リソースに対するアクセスを許可するまたは拒否する［３７］に記載のＵＴ。
［４７］前記リソースに対するアクセスを前記処理回路が許可する場合に、前記アカウンティングモジュールが、前記報告とともに前記バイオメトリック識別子を提出する［４６］に記載のＵＴ。
［４８］遠隔通信に対してアカウントするように構成されている装置において、
ワイヤレスデータ交換に関連して、１組のリソースを利用する手段と、
リソース使用の報告を送信する手段とを具備し、
前記報告は、ＵＴ特有のデジタル署名により証明されている装置。
［４９］遠隔通信に対してアカウントするように構成されているプロセッサにおいて、
ワイヤレスデータ交換に関連して、１組のリソースを利用する第１のモジュールと、
リソース使用の報告を送信する第２のモジュールとを具備し、
前記報告は、ＵＴ特有のデジタル署名により証明されているプロセッサ。
［５０］コンピュータ読取可能媒体を具備するコンピュータプログラムプロダクトにおいて、
前記コンピュータ読取可能媒体は、
コンピュータに、ワイヤレスデータ交換に関連して、１組のリソースを利用させるための第１の組のコードと、
前記コンピュータに、リソース使用の報告を送信させるための第２の組のコードとを含み、
前記報告は、ＵＴ特有のデジタル署名により証明されているコンピュータプログラムプロダクト。
【図１】
0005539402.tif 000002
【図２】
0005539402.tif 000003
【図３】
0005539402.tif 000004
【図４】
0005539402.tif 000005
【図５】
0005539402.tif 000006
【図６】
0005539402.tif 000007
【図７】
0005539402.tif 000008
【図８】
0005539402.tif 000009
【図９】
0005539402.tif 000010
【図１０】
0005539402.tif 000011
【図１１】
0005539402.tif 000012
【図１２】
0005539402.tif 000013
【図１３】
0005539402.tif 000014
【図１４】
0005539402.tif 000015
【図１５】
0005539402.tif 000016